(57)【特許請求の範囲】
【請求項１】
１以上の収納ボックスを有し、該収納ボックスに物品を入庫して該物品の受取側の利用者が取り出すまで一時的に預け入れる収納装置であって、
所定以上の重量の物品個々の前記収納ボックスへの入庫を禁止する基準値及び複数の物品を入庫する際に所定以上の合計重量となる場合に物品の前記収納ボックスへの入庫を禁止する基準値を前記利用者ごとに管理するデータベースを備え、
物品を入庫する際、該物品個々の重量が入力されると、前記データベースを参照し、該入力された重量が前記物品個々の基準値以上の場合、前記収納ボックスへの入庫を禁止するとともに、該重量が入力され、前記複数の物品の合計の基準値以上となった場合、前記収納ボックスへの入庫を禁止することを特徴とする収納装置。
【請求項２】
１以上の収納ボックスを有し、該収納ボックスに物品を入庫して該物品の受取側の利用者が取り出すまで一時的に預け入れる収納装置であって、
所定の基準値以上の重量の物品が前記収納ボックスへ入庫されるとき、該物品を入庫可能な前記収納ボックスの位置を前記利用者ごとに設定し管理するデータベースと、複数の物品を入庫する際に所定以上の合計重量となる場合に物品の前記収納ボックスへの入庫を禁止する基準値を前記利用者ごとに設定し管理するデータベースとを備え、
物品を入庫する際、該物品の重量が入力されると、前記データベースを参照し、該入力された重量が前記基準値以上の場合、前記設定された位置以外の収納ボックスへの入庫を禁止するとともに、該重量が入力され、前記複数の物品の合計の基準値以上となった場合、前記収納ボックスへの入庫を禁止することを特徴とする収納装置。
【請求項３】
１以上の収納ボックスを有し、該収納ボックスに物品を入庫して該物品の受取側の利用者が取り出すまで一時的に預け入れる収納装置であって、
所定の基準値以上の重量の物品が前記収納ボックスへ入庫されるとき、該物品を入庫させる前記収納ボックスの位置を管理するデータベースと、複数の物品を入庫する際に所定以上の合計重量となる場合に物品の前記収納ボックスへの入庫を禁止する基準値を前記利用者ごとに設定し管理するデータベースとを備え、
物品を入庫する際、該物品の重量が入力されると、前記データベースを参照し、該入力された重量が前記基準値以上の場合、空いている前記収納ボックスのうち、下段の前記収納ボックスへの入庫を促すとともに、該重量が入力され、前記複数の物品の合計の基準値以上となった場合、前記収納ボックスへの入庫を禁止することを特徴とする収納装置。
【請求項４】
１以上の収納ボックスを有し、該収納ボックスに物品を入庫して該物品の受取側の利用者が取り出すまで一時的に預け入れる収納装置であって、
所定の基準値未満の重量の物品が前記収納ボックスへ入庫されるとき、該物品を入庫させる前記収納ボックスの位置を管理するデータベースと、複数の物品を入庫する際に所定以上の合計重量となる場合に物品の前記収納ボックスへの入庫を禁止する基準値を前記利用者ごとに設定し管理するデータベースとを備え、
物品を入庫する際、該物品の重量が入力されると、前記データベースを参照し、該入力された重量が前記基準値未満の場合、空いている前記収納ボックスのうち、上段の前記収納ボックスへの入庫を促すとともに、該重量が入力され、前記複数の物品の合計の基準値以上となった場合、前記収納ボックスへの入庫を禁止することを特徴とする収納装置。
【請求項５】
１以上の収納ボックスを有し、該収納ボックスに物品を入庫して該物品の受取側の利用者が取り出すまで一時的に預け入れる収納装置であって、
前記収納ボックスへの入庫を禁止する物品の種類を前記利用者ごとに管理するデータベースを備え、
物品を入庫する際、該物品の種類が入力されると、前記データベースを参照し、該入力された種類が該物品の宛先の利用者において入庫禁止に設定されている場合、該物品の収納ボックスへの入庫を禁止することを特徴とする収納装置。
【請求項６】
請求項１から４のいずれか１項に記載の収納装置と、
前記収納装置とネットワークを介して接続され、前記物品の受取側の利用者により操作されるユーザ端末とを有して構成される物品収納システムであって、
前記収納装置は、物品が前記収納ボックスに入庫されたことを示す荷物情報を前記ユーザ端末へ送信し、該荷物情報には該物品の重量を示す情報が含まれることを特徴とする物品収納システム。
【請求項７】
請求項５記載の収納装置と、
前記収納装置とネットワークを介して接続され、前記物品の受取側の利用者により操作されるユーザ端末とを有して構成される物品収納システムであって、
前記収納装置は、物品が前記収納ボックスに入庫されたことを示す荷物情報を前記ユーザ端末へ送信し、該荷物情報には該物品の種類を示す情報が含まれることを特徴とする物品収納システム。
【請求項８】
１以上の収納ボックスを有し、該収納ボックスに物品を入庫して該物品の受取側の利用者が取り出すまで一時的に預け入れる収納装置と、
前記収納装置とネットワークを介して接続され、前記物品の受取側の利用者により操作されるユーザ端末とを有して構成される物品収納システムであって、
前記収納装置は、１以上の収納ボックスを有し、該収納ボックスに物品を入庫して該物品の受取側の利用者が取り出すまで一時的に預け入れる収納装置であって、
複数の物品を入庫する際に所定以上の合計重量となる場合に物品の前記収納ボックスへの入庫を禁止する基準値を前記利用者ごとに設定し管理するデータベースを備え、
物品を入庫する際、該物品の重量が入力されると、前記データベースを参照し、該重量が入力され、前記複数の物品の合計の基準値以上となった場合、前記収納ボックスへの入庫を禁止するとともに、物品が前記収納ボックスに入庫されたことを示す荷物情報を前記ユーザ端末へ送信し、該荷物情報には当該物品の宛先における自装置に入庫中の物品の合計個数を示す情報が含まれることを特徴とする物品収納システム。
【請求項９】
前記収納装置は、前記荷物情報を、電子メール、Ｗｅｂページ又は所定のソフトウェアにより画面表示可能な情報により前記ユーザ端末へ送信することを特徴とする請求項６から８のいずれか１項に記載の物品収納システム。
【請求項１０】
請求項１から４のいずれか１項に記載の収納装置と、
前記収納装置とネットワークを介して接続され、前記物品の受取側の利用者により操作されるユーザ端末と、
前記収納装置及び前記ユーザ端末とネットワークを介して接続される制御装置とを有して構成される物品収納システムであって、
前記制御装置は、物品が前記収納ボックスに入庫されたことを示す荷物情報を前記収納装置から受信すると、該受信した荷物情報を前記ユーザ端末へ送信し、該荷物情報には該物品の重量を示す情報が含まれることを特徴とする物品収納システム。
【請求項１１】
請求項５記載の収納装置と、
前記収納装置とネットワークを介して接続され、前記物品の受取側の利用者により操作されるユーザ端末と、
前記収納装置及び前記ユーザ端末とネットワークを介して接続される制御装置とを有して構成される物品収納システムであって、
前記制御装置は、物品が前記収納ボックスに入庫されたことを示す荷物情報を前記収納装置から受信すると、該受信した荷物情報を前記ユーザ端末へ送信し、該荷物情報には該物品の種類を示す情報が含まれることを特徴とする物品収納システム。
【請求項１２】
１以上の収納ボックスを有し、該収納ボックスに物品を入庫して該物品の受取側の利用者が取り出すまで一時的に預け入れる収納装置と、
前記収納装置とネットワークを介して接続され、前記物品の受取側の利用者により操作されるユーザ端末と、
前記収納装置及び前記ユーザ端末とネットワークを介して接続される制御装置とを有して構成される物品収納システムであって、
前記収納装置は、１以上の収納ボックスを有し、該収納ボックスに物品を入庫して該物品の受取側の利用者が取り出すまで一時的に預け入れる収納装置であって、
複数の物品を入庫する際に所定以上の合計重量となる場合に物品の前記収納ボックスへの入庫を禁止する基準値を前記利用者ごとに設定し管理するデータベースを備え、
物品を入庫する際、該物品の重量が入力されると、前記データベースを参照し、該重量が入力され、前記複数の物品の合計の基準値以上となった場合、前記収納ボックスへの入庫を禁止し、
前記制御装置は、物品が前記収納ボックスに入庫されたことを示す荷物情報を前記収納装置から受信すると、該受信した荷物情報を前記ユーザ端末へ送信し、該荷物情報には当該物品の宛先における自装置に入庫中の物品の合計個数を示す情報が含まれることを特徴とする物品収納システム。
【請求項１３】
前記制御装置は、前記荷物情報を、電子メール、Ｗｅｂページ又は所定のソフトウェアにより画面表示可能な情報により前記ユーザ端末へ送信することを特徴とする請求項１０から１２のいずれか１項に記載の物品収納システム。
【発明の詳細な説明】
【技術分野】
【０００１】
本発明は、収納装置及び物品収納システムに関し、特に、配送物の重量又は種類に応じて、当該配送物の入庫を制御する収納装置及び物品収納システムに関する。
【背景技術】
【０００２】
近年、宅配ロッカーと称される施錠可能な収納装置が、集合住宅の共用部等に設置され、宅配便等のサービスに利用されている。
この宅配ロッカーを利用した宅配便サービスにおいては、集合住宅の居住者が不在の場合であっても、宅配業者が居住者宛の配送物を宅配ロッカーの収納ボックス内に入庫し施錠しておき、その後、居住者が該当する収納ボックスを解錠して自分宛の配送物を取り出すことができる。
このように、宅配ロッカーは、配送物の盗難等を防止し、配送物を安全に受け取ることを可能にするものである。
【０００３】
このような宅配ロッカーを利用した宅配便サービスに関する従来技術の１つに特許文献１が開示するところの宅配ロッカー及び宅配ロッカーの通信システムが提案されている。
特許文献１の宅配ロッカーに通信手段を設け、通信手段をマンションに配設されたＬＡＮと接続し、ＬＡＮに接続される各住戸の居住者のパソコンとの間で情報の送受信を行う。これにより、宅配ロッカーに着荷があった場合には、宅配ロッカーからＬＡＮを介して各住戸のパソコンに荷物情報を送信することにより、居住者は自分宛の配送物が宅配ロッカーに届けられていることを把握していち早く配送物を取りに行くことができ、結果として、十分な数の空きボックスを確保され、配送業務の効率化も実現する。
【先行技術文献】
【特許文献】
【０００４】
【特許文献１】特開２００２−３４７７１
【発明の概要】
【発明が解決しようとする課題】
【０００５】
しかしながら、特許文献１の宅配ロッカー等では、利用者が自身宛の配送物の着荷自体は知ることができるものの、その配送物の内容までは把握できないことから、いざ居住者が住戸から宅配ロッカーの設置されているエントランスに配送物を取りに行ったとき、配送物が重すぎて持ち帰ることができなかったり、配送物の種類によっては持ち帰りが困難であったり、という問題がある。
【０００６】
本発明は、上記問題点に鑑みてなされたものであり、配送物が所定以上の重量等であったり、どのような種類のものであっても、利用者が当該配送物を容易に受け取ることができる収納装置及び物品収納システムを提供することを目的とする。
【課題を解決するための手段】
【０００７】
かかる目的を達成するため、本発明は、１以上の収納ボックスを有し、収納ボックスに物品を入庫して物品の受取側の利用者が取り出すまで一時的に預け入れる収納装置であって、所定以上の重量の物品個々の収納ボックスへの入庫を禁止する基準値及び複数の物品を入庫する際に所定以上の合計重量となる場合に物品の収納ボックスへの入庫を禁止する基準値を利用者ごとに管理するデータベースを備え、物品を入庫する際、物品個々の重量が入力されると、データベースを参照し、入力された重量が物品個々の基準値以上の場合、収納ボックスへの入庫を禁止するとともに、重量が入力され、複数の物品の合計の基準値以上となった場合、収納ボックスへの入庫を禁止することを特徴とする。
【０００８】
また、本発明は、１以上の収納ボックスを有し、収納ボックスに物品を入庫して物品の受取側の利用者が取り出すまで一時的に預け入れる収納装置であって、所定の基準値以上の重量の物品が収納ボックスへ入庫されるとき、物品を入庫可能な収納ボックスの位置を利用者ごとに設定し管理するデータベースと、複数の物品を入庫する際に所定以上の合計重量となる場合に物品の収納ボックスへの入庫を禁止する基準値を利用者ごとに設定し管理するデータベースとを備え、物品を入庫する際、物品の重量が入力されると、データベースを参照し、入力された重量が基準値以上の場合、設定された位置以外の収納ボックスへの入庫を禁止するとともに、重量が入力され、複数の物品の合計の基準値以上となった場合、収納ボックスへの入庫を禁止することを特徴とする。
【０００９】
また、本発明は、１以上の収納ボックスを有し、収納ボックスに物品を入庫して物品の受取側の利用者が取り出すまで一時的に預け入れる収納装置であって、所定の基準値以上の重量の物品が収納ボックスへ入庫されるとき、物品を入庫させる収納ボックスの位置を管理するデータベースと、複数の物品を入庫する際に所定以上の合計重量となる場合に物品の収納ボックスへの入庫を禁止する基準値を利用者ごとに設定し管理するデータベースとを備え、物品を入庫する際、物品の重量が入力されると、データベースを参照し、入力された重量が基準値以上の場合、空いている収納ボックスのうち、下段の収納ボックスへの入庫を促すとともに、重量が入力され、複数の物品の合計の基準値以上となった場合、収納ボックスへの入庫を禁止することを特徴とする。
【００１０】
また、本発明は、１以上の収納ボックスを有し、収納ボックスに物品を入庫して物品の受取側の利用者が取り出すまで一時的に預け入れる収納装置であって、所定の基準値未満の重量の物品が収納ボックスへ入庫されるとき、物品を入庫させる収納ボックスの位置を管理するデータベースと、複数の物品を入庫する際に所定以上の合計重量となる場合に物品の収納ボックスへの入庫を禁止する基準値を利用者ごとに設定し管理するデータベースとを備え、物品を入庫する際、物品の重量が入力されると、データベースを参照し、入力された重量が基準値未満の場合、空いている収納ボックスのうち、上段の収納ボックスへの入庫を促すとともに、重量が入力され、複数の物品の合計の基準値以上となった場合、収納ボックスへの入庫を禁止することを特徴とする。
【００１１】
また、本発明は、１以上の収納ボックスを有し、収納ボックスに物品を入庫して物品の受取側の利用者が取り出すまで一時的に預け入れる収納装置であって、収納ボックスへの入庫を禁止する物品の種類を利用者ごとに管理するデータベースを備え、物品を入庫する際、物品の種類が入力されると、データベースを参照し、入力された種類が物品の宛先の利用者において入庫禁止に設定されている場合、物品の収納ボックスへの入庫を禁止することを特徴とする。
【００１２】
また、本発明は、上記収納装置と、収納装置とネットワークを介して接続され、物品の受取側の利用者により操作されるユーザ端末とを有して構成される物品収納システムであって、収納装置は、物品が収納ボックスに入庫されたことを示す荷物情報をユーザ端末へ送信し、荷物情報には物品の重量を示す情報が含まれることを特徴とする。
【００１３】
また、本発明は、上記収納装置と、収納装置とネットワークを介して接続され、物品の受取側の利用者により操作されるユーザ端末とを有して構成される物品収納システムであって、収納装置は、物品が収納ボックスに入庫されたことを示す荷物情報をユーザ端末へ送信し、荷物情報には物品の種類を示す情報が含まれることを特徴とする。
【００１４】
また、本発明は、１以上の収納ボックスを有し、収納ボックスに物品を入庫して物品の受取側の利用者が取り出すまで一時的に預け入れる収納装置と、収納装置とネットワークを介して接続され、物品の受取側の利用者により操作されるユーザ端末とを有して構成される物品収納システムであって、収納装置は、１以上の収納ボックスを有し、収納ボックスに物品を入庫して物品の受取側の利用者が取り出すまで一時的に預け入れる収納装置であって、複数の物品を入庫する際に所定以上の合計重量となる場合に物品の収納ボックスへの入庫を禁止する基準値を利用者ごとに設定し管理するデータベースを備え、物品を入庫する際、物品の重量が入力されると、データベースを参照し、重量が入力され、複数の物品の合計の基準値以上となった場合、収納ボックスへの入庫を禁止するとともに、物品が収納ボックスに入庫されたことを示す荷物情報をユーザ端末へ送信し、荷物情報には当該物品の宛先における自装置に入庫中の物品の合計個数を示す情報が含まれることを特徴とする。
【００１５】
また、本発明における物品収納システムによれば、収納装置は、荷物情報を、電子メール、Ｗｅｂページ又は所定のソフトウェアにより画面表示可能な情報によりユーザ端末へ送信することを特徴とする。
【００１６】
また、本発明は、上記収納装置と、収納装置とネットワークを介して接続され、物品の受取側の利用者により操作されるユーザ端末と、収納装置及びユーザ端末とネットワークを介して接続される制御装置とを有して構成される物品収納システムであって、制御装置は、物品が収納ボックスに入庫されたことを示す荷物情報を収納装置から受信すると、受信した荷物情報をユーザ端末へ送信し、荷物情報には物品の重量を示す情報が含まれることを特徴とする。
【００１７】
また、本発明は、上記収納装置と、収納装置とネットワークを介して接続され、物品の受取側の利用者により操作されるユーザ端末と、収納装置及びユーザ端末とネットワークを介して接続される制御装置とを有して構成される物品収納システムであって、制御装置は、物品が収納ボックスに入庫されたことを示す荷物情報を収納装置から受信すると、受信した荷物情報をユーザ端末へ送信し、荷物情報には物品の種類を示す情報が含まれることを特徴とする。
【００１８】
また、本発明は、１以上の収納ボックスを有し、収納ボックスに物品を入庫して物品の受取側の利用者が取り出すまで一時的に預け入れる収納装置と、収納装置とネットワークを介して接続され、物品の受取側の利用者により操作されるユーザ端末と、収納装置及びユーザ端末とネットワークを介して接続される制御装置とを有して構成される物品収納システムであって、収納装置は、１以上の収納ボックスを有し、収納ボックスに物品を入庫して物品の受取側の利用者が取り出すまで一時的に預け入れる収納装置であって、複数の物品を入庫する際に所定以上の合計重量となる場合に物品の収納ボックスへの入庫を禁止する基準値を利用者ごとに設定し管理するデータベースを備え、物品を入庫する際、物品の重量が入力されると、データベースを参照し、重量が入力され、複数の物品の合計の基準値以上となった場合、収納ボックスへの入庫を禁止し、制御装置は、物品が収納ボックスに入庫されたことを示す荷物情報を収納装置から受信すると、受信した荷物情報をユーザ端末へ送信し、荷物情報には当該物品の宛先における自装置に入庫中の物品の合計個数を示す情報が含まれることを特徴とする。
【００１９】
また、本発明における物品収納システムによれば、制御装置は、荷物情報を、電子メール、Ｗｅｂページ又は所定のソフトウェアにより画面表示可能な情報によりユーザ端末へ送信することを特徴とする。
【００２０】
なお、以上の構成要素の任意の組合せや、本発明の構成要素や表現を方法、装置、システム、コンピュータプログラム、コンピュータプログラムを格納した記録媒体などの間で相互に置換したものもまた、本発明の態様として有効である。
【発明の効果】
【００２１】
本発明は、入庫中の物品の合計個数を利用者に通知したり、物品の重量や種類に基づいて、当該物品の収納装置への入庫の許否や入庫する収納ボックスの位置等を決定したりするので、利用者は、自身が希望する方法で物品を受け取ったり、前もって物品を受け取る準備を行うことができ、利用者が当該物品を容易に受け取ることが可能となる。
【図面の簡単な説明】
【００２２】
【図１】本発明の第１の実施の形態における収納装置の外観を示す図である。
【図２】本発明の第１の実施の形態における収納装置の構成を示す図である。
【図３】本発明の第１の実施の形態における情報格納部が格納する各データベースを示す図である。
【図４】本発明の第１の実施の形態における居住者ＤＢのデータ構成を示す図である。
【図５】本発明の第１の実施の形態における収納部の収納ボックスの配置を示す図である。
【図６】本発明の第１の実施の形態における収納ボックスＤＢのデータ構成を示す図である。
【図７】本発明の第１の実施の形態における重量基準ＤＢのデータ構成を示す図である。
【図８】本発明の第１の実施の形態における入庫履歴ＤＢのデータ構成を示す図である。
【図９】本発明の第１の実施の形態における重量基準値の登録動作の流れを示すフローチャートである。
【図１０】本発明の第１の実施の形態における収納装置による配送物の預入れ動作の流れを示すフローチャートである。
【図１１】本発明の第２の実施の形態における物品収納システムの構成を示す図である。
【図１２】本発明の第２の実施の形態における収納装置の構成を示す図である。
【図１３】本発明の第２の実施の形態における情報格納部が格納する各データベースを示す図である。
【図１４】本発明の第２の実施の形態における通知ＤＢのデータ構成を示す図である。
【図１５】本発明の第２の実施の形態における管理サーバの構成を示す図である。
【図１６】本発明の第２の実施の形態におけるユーザ端末の構成を示す図である。
【図１７】本発明の第２の実施の形態における重量基準値の登録動作の流れを示すフローチャートである。
【図１８】本発明の第２の実施の形態における物品収納システムによる配送物の預入れ動作の流れを示すシーケンスチャートである。
【図１９】本発明の第３の実施の形態における情報格納部が格納する各データベースを示す図である。
【図２０】本発明の第３の実施の形態における収納ボックスＤＢのデータ構成を示す図である。
【図２１】本発明の第３の実施の形態における入庫履歴ＤＢのデータ構成を示す図である。
【図２２】本発明の第３の実施の形態における種類基準ＤＢのデータ構成を示す図である。
【図２３】本発明の第３の実施の形態における収納装置による配送物の預入れ動作の流れを示すフローチャートである。
【図２４】本発明の第４の実施の形態における情報格納部が格納する各データベースを示す図である。
【図２５】本発明の第４の実施の形態における通知ＤＢのデータ構成を示す図である。
【図２６】本発明の第４の実施の形態における物品収納システムによる動作の流れを示すシーケンスチャートである。
【図２７】本発明の第５の実施の形態における情報格納部が格納する各データベースを示す図である。
【図２８】本発明の第５の実施の形態における入庫履歴ＤＢのデータ構成を示す図である。
【図２９】本発明の第５の実施の形態における物品収納システムによる動作の流れを示すシーケンスチャートである。
【発明を実施するための形態】
【００２３】
＜第１の実施の形態＞
（第１の実施の形態の概要）
本発明の第１の実施の形態における収納装置１０は、ある利用者から他の利用者へ渡される物品を閉扉・施錠可能な収納ボックスにおいて一時預かるものである。
この収納装置１０は、物品が所定以上の重量である場合には、入庫を禁止したり、取り出しやすい下段の収納ボックスにのみ入庫を許可したりすることで、利用者が物品を収納ボックスから取り出したり、自身の住戸まで運んだりする労力を軽減させることが可能となっている。
以下、一例として、利用者を集合住宅の居住者とし、収納装置１０を当該集合住宅の住戸から所定距離離れ又は階が異なるエントランス等の共用部に設置されるものとし、預け入れられる物品は、配送業者により配送される当該居住者宛の配送物であるとして説明を進める。
【００２４】
（第１の実施の形態における構成）
（１）収納装置１０の構成
図１は、本発明の第１の実施の形態における収納装置１０の外観を示す図である。
収納装置１０は、居住者宛の配送物を収納し、施錠可能に構成されるものであり、例えば、配送物を配送宛に届けるまでに一時預け入れる宅配ロッカーとして機能するものである。
本実施の形態では、上述のように、一例として、収納装置１０は、集合住宅の共用部に設置されているものとする。
なお、後述するように、収納装置１０は、マンション等の集合住宅の他、オフィス、コンビニエンスストア・スーパーマーケット等の店舗や商業施設、又は駅や病院等の公共施設・機関等に設置されるものとしてもよく、設置場所はこれらに限定されるものではない。
【００２５】
図２は、本発明の第１の実施の形態における収納装置１０の構成を示す図である。
図１，２に示すように、収納装置１０は、ＣＰＵ等から構成され収納装置１０全体を制御する制御部１１と、各種情報を格納する情報格納部１２と、居住者宛の配送物を収納する収納部１３と、各種情報を表示する表示部１４と、各種キーを備え情報入力が可能であるとともに、後述の居住者カード等に書き込まれた認証用の情報の読取り等をする操作部１５とを有して構成される。
収納部１３は、複数の収納ボックスから構成され、各収納ボックスは施錠・閉扉可能に構成される。原則、配送物が収納されていない状態では解錠されており、配送物が入庫可能である。一旦、配送物が入庫されると、施錠及び閉扉し、その配送宛の利用者が取り出すまで安全に保管する。
また、表示部１４と操作部１５は一体に構成され、タッチパネルを形成してもよい。
【００２６】
図３は、本発明の第１の実施の形態における情報格納部１２が格納する各データベース１２１〜１２４を示す図である。
図に示すように、情報格納部１２は、居住者が収納部１２を解錠する際に必要なパスワード等の認証情報を管理する居住者ＤＢ１２１と、収納部１２を構成する複数の収納ボックスの位置及び使用状況を管理する収納ボックスＤＢ１２２と、配送物を収納装置１０へ入庫禁止にしたり入庫する収納ボックス位置の指定を行ったりするときの配送物の重量の基準を管理する重量基準ＤＢ１２３と、各収納ボックスへの入庫履歴を管理する入庫履歴ＤＢ１２４とを格納する。
【００２７】
図４は、本発明の第１の実施の形態における居住者ＤＢ１２１のデータ構成を示す図である。
図に示す例では、居住者ＤＢ１２１は、居住者名と、居住者の部屋番号と、認証用のパスワードと、メールアドレスと、当該居住者の住戸宛かつ現在収納装置１０に入庫中の配送物の個数とをそれぞれ居住者を特定する個別のＩＤ（居住者ＩＤ）に対応付けて格納している。
また、図の例において、居住者ＤＢ１２１は、居住者の連絡先（後述のユーザ端末３０等）の情報としてメールアドレスを管理しているが、連絡先の情報であればこれに限定されない。例えば、携帯端末やＰＣのアドレスの他、集合住宅の各住戸に設置されたインターホン装置のアドレスであってもよい。
【００２８】
図５は、本発明の第１の実施の形態における収納部１３の収納ボックスの配置を示す図である。
本図は、図１，２に示す収納装置１０の収納部１３を構成する複数の収納ボックスＢ１〜Ｂ９の配置を示している。
図の例では、収納ボックスＢ１〜Ｂ９は、上下４段のいずれかに配置されている。ただし、収納ボックスＢ６は下から２〜４段目にわたって配置されている。
【００２９】
また、図６は、本発明の第１の実施の形態における収納ボックスＤＢ１２２のデータ構成を示す図である。
図６に示す例では、収納ボックスＤＢ１２２は、図５に示す各収納ボックスが上下４段のいずれの段に配置されているかを示す位置情報と、収納サイズと、現在の使用状況（使用中か空きか）とを、それぞれ収納ボックスを特定する個別の番号（ボックス番号：Ｂ１〜Ｂ９）に対応付けて格納している。
なお、収納ボックスＢ６は、下から２〜４段目にわたって配置されているが、下端が位置する２段目として管理されている。
【００３０】
図７は、本発明の第１の実施の形態における重量基準ＤＢ１２３のデータ構成を示す図である。
図に示す例では、重量基準ＤＢ１２３は、所定以上の重量の配送物について全ての収納ボックスへの入庫を禁止する際の基準を示す重量基準値（入庫禁止）と、所定以上の重量の配送物について特定の収納ボックスへのみ入庫を許可する際の基準を示す重量基準値（入庫位置指定）と、その際に入庫を許可する収納ボックスの位置とを、それぞれ居住者を特定する個別のＩＤ（居住者ＩＤ）に対応付けて格納している。
【００３１】
重量基準ＤＢ１２３において、例えば、居住者ＩＤが「０００２」の居住者宛の配送物の重量が６ｋｇである場合、重量基準値（入庫禁止）の「５ｋｇ」以上であるので、収納装置１０は、全ての収納ボックスへの入庫を禁止する。
【００３２】
また、重量基準ＤＢ１２３において、居住者ＩＤが「０００２」の居住者宛の配送物の重量が３ｋｇである場合、重量基準値（入庫禁止）の「５ｋｇ」未満であるので、収納装置１０は、収納ボックスへの入庫を許可する。
さらに、重量基準値（入庫位置指定）の「２ｋｇ」以上であることから、入庫可能な収納ボックスを限定する。
ここで、図７の例では、指定入庫位置は「下２段」となっているので、収納装置１０は、下２段の収納ボックス（図７では収納ボックスＢ１〜Ｂ６）への入庫のみを許可し、それ以外の位置の収納ボックス（収納ボックスＢ７〜Ｂ９）への入庫を禁止する。
下２段の収納ボックスＢ１〜Ｂ６が全て使用中である場合は、一旦持ち帰って再配送される。
【００３３】
図８は、本発明の第１の実施の形態における入庫履歴ＤＢ１２４のデータ構成を示す図である。
図に示す例では、入庫履歴ＤＢ１２４は、配送物の入庫時期と、入庫された収納ボックスのボックス番号と、配送先の居住者ＩＤと、配送物の入庫時期と、入庫された収納ボックスのボックス番号と、配送先の居住者ＩＤと、当該配送物の重量とを、入庫順に付与される入庫履歴番号にそれぞれ対応付けて格納している。
【００３４】
（第１の実施の形態の動作）
（１）重量基準値の設定動作
上述のとおり、重量基準ＤＢ１２３には、重量基準値（入庫禁止）と重量基準値（入庫位置指定）が管理される。居住者又は居住者の依頼を受けた者は、これら重量基準値を収納装置１０の操作部１５を直接操作して入力し、重量基準ＤＢ１２３に登録することができる。
図９は、本発明の第１の実施の形態における重量基準値の登録動作の流れを示すフローチャートである。
以下、本図に沿って、上記重量基準値（入庫禁止・入庫位置指定）の登録動作について説明を進める。
【００３５】
まず、居住者等は、収納装置１０の設置場所（例えば、集合住宅の共用部）を訪れ、収納装置１０の表示部１４上に表示される案内メニュー等に従って、操作部１５を用いて、当該居住者の部屋番号及びパスワードを入力する（ステップＳ１０１）。
すると、収納装置１０の制御部１１は、居住者ＤＢ１２１を参照して、上記入力された部屋番号及びパスワードの組み合わせが互いに対応付けられて居住者ＤＢ１２１に登録されているか否か判断し、認証を行う（ステップＳ１０２）。
ここで、制御部１１は、上記組み合わせが登録されていないと判断した場合（ステップＳ１０２／Ｎｏ）、認証失敗とし、動作が終了する。
【００３６】
一方、制御部１１は、上記組み合わせが登録されていると判断した場合には（ステップＳ１０２／Ｙｅｓ）、認証成功とし、重量基準値の入力用画面を表示部１４に表示させる（ステップＳ１０３）。
そこで、居住者等は、操作部１５における数字キーや方向キー等を操作して、上記重量基準値（入庫禁止・入庫位置指定）をそれぞれ入力する（ステップＳ１０４）。このとき、例えば、重量基準値（入庫禁止）は「２ｋｇ」、重量基準値（入庫位置指定）は「１ｋｇ」というように入力する。
制御部１１は、上記重量基準値（入庫禁止・入庫位置指定）が入力されると、居住者ＤＢ１２１において上記部屋番号に対応付けられた居住者ＩＤに対応付けて、上記重量基準値を重量基準ＤＢ１２３に登録する（ステップＳ１０５）。
以上で、動作が終了する。
【００３７】
このように、収納装置１０は、配送物の入庫禁止又は入庫位置の指定を行うか否かの基準値となる重量基準値を重量基準ＤＢ１２３に登録する。
居住者は、上記のように一旦登録した重量基準値について、同様の操作をして、変更することもできる。
また、居住者は、上記重量基準値の場合と同様の操作を行って、収納装置１０を直接操作して、自身の個人情報についても設定及び変更を行うことができる。
【００３８】
（２）配送物の預入れ動作
図１０は、本発明の第１の実施の形態における収納装置１０による配送物の預入れ動作の流れを示すフローチャートである。
以下、本実施の形態において、配送業者が集合住宅の居住者宛の配送物を配送するときにおける収納装置１０による動作について、本図に沿って説明を進める。
【００３９】
まず、配送業者は、居住者宛の配送物を持って集合住宅を訪れ、共用部又は住戸の玄関のインターホン等で配送物があることを居住者に呼び掛け、居住者の在宅又は不在を確認する。
ここで、居住者からの応答がなく、不在である場合には、配送業者は、居住者宛の配送物を収納装置１０に一時預け入れるため、収納装置１０が設置されている集合住宅のエントランス等を訪れる。
そこで、配送業者は、収納装置１０の表示部１４に表示されている配送物の「預入れ」か「取出し」かの選択画面において、操作部１５を操作して、「預入れ」を選択する（ステップＳ２０１）。
【００４０】
「預入れ」が選択されると、表示部１４は、「配送物の預入れ」に伴って行われるサービス内容又はそのサービスを行う事業者名の一覧を表示する。
そこで、配送業者は、操作部１５を操作して、そのサービス内容及び事業者名から自身に該当するものを選択する（ステップＳ２０２）。
【００４１】
サービス内容及び事業者名が選択されると、表示部１４は、配送宛の集合住宅の部屋番号の入力画面を表示する。
ここで、配送業者は、今回預け入れる配送物の伝票等を確認して、操作部１５を操作して、配送宛の部屋番号を入力する（ステップＳ２０３）。
【００４２】
配送宛の部屋番号が入力されると、表示部１４は、今回預け入れる配送物の重量の入力画面を表示する。
ここで、配送業者は、操作部１５を操作して、上記入力した部屋番号宛（例えば部屋番号１０１宛）に今回新たに預け入れる各配送物の重量を入力する（ステップＳ２０４）。
このとき、制御部１１は、居住者ＤＢ１２１を参照し、上記入力された部屋番号に基づいて、対応付けられている居住者ＩＤを抽出し、次に、重量基準ＤＢ１２６を参照し、上記抽出した居住者ＩＤに基づいて、該当する居住者（住戸）の重量基準値（入庫禁止）（例えば２ｋｇ）を抽出し、上記重量の入力画面上に「入庫する配送物は２ｋｇ以上ですか？」と表示させ、「Ｙｅｓ」か「Ｎｏ」の選択をすることにより、配送物の重量を入力できるようにしてもよい。
【００４３】
上記のとおり、配送物の重量が入力されると、収納装置１０の制御部１１は、各配送物の重量が重量基準値（入庫禁止）以上であるか否かをそれぞれ判断する（ステップＳ２０５）。
配送物の重量が重量基準値（入庫禁止）以上の場合は（ステップＳ２０５／Ｎｏ）、制御部１１は、当該配送物を全ての収納ボックスへ入庫することを禁止する旨のメッセージを表示部１４に表示させ（ステップＳ２１１）、配送業者に対して当該配送物の入庫を行わないよう促した後、ステップＳ２１０の処理へ進む。
【００４４】
一方、配送物の重量が重量基準値（入庫禁止）未満である場合には（ステップＳ２０５／Ｙｅｓ）、制御部１１は、収納ボックスへの入庫禁止のメッセージを表示部１４に表示させることなく、入庫可能な収納ボックスを検出する（ステップＳ２０６）。
このステップＳ２０６においては、制御部１１は、重量基準ＤＢ１２６を参照し、上記ステップＳ２０４において入力された配送物の重量に基づいて、入庫を許可されている収納ボックスを検出する。
居住者ＩＤ「０００２」宛（入力された部屋番号「３０６」）の配送物であって、入力された配送物の重量が１ｋｇである場合、重量基準値（入庫位置指定）未満であるので、全ての収納ボックスＢ１〜Ｂ９が入庫可能な収納ボックスとして検出される。
また、同じく、居住者ＩＤ「０００２」宛の配送物であって、入力された配送物の重量が３ｋｇである場合、重量基準値（入庫位置指定）以上であるので、指定入庫位置「下２段」を満たす収納ボックスＢ１〜Ｂ６が入庫可能な収納ボックスとして検出される。
【００４５】
次に、制御部１１は、ステップＳ２０６において検出した収納ボックスに空きがあるか否かを判断する（ステップＳ２０７）。
制御部１１は、空きがないと判断した場合には（ステップＳ２０７／Ｎｏ）、該当する配送物の入庫を禁止する旨のメッセージを表示部１４に表示させ（ステップＳ２１１）、配送業者に対し、当該配送物の入庫を行わないように促した後、ステップＳ２１０の処理へ進む。
【００４６】
一方、制御部１１は、ステップＳ２０６で検出した収納ボックスに空きがあると判断した場合には（ステップＳ２０７／Ｙｅｓ）、その空きがあって入庫可能な収納ボックスの位置を表示部１４に表示させ（ステップＳ２０８）、配送業者に対し、当該配送物を当該表示中の収納ボックスに入庫することを促す。
【００４７】
そして、配送業者は、表示部１４に位置が表示された収納ボックスに新たに配送した配送物を入庫し、閉扉すると、制御部１１は、当該入庫した収納ボックスを施錠する（ステップＳ２０９）。
【００４８】
ステップＳ２０９の後、制御部１１は、上記配送物の入庫について入庫履歴を生成し、入庫履歴ＤＢ１２４に記録する（ステップＳ２１０）。
ここで記録される入庫履歴とは、入庫時期、収納ボックスのボックス番号、配送先の住戸の部屋番号、入庫された配送物の重量等が、履歴個々を特定する入庫履歴番号にそれぞれ対応付けられるものである。また、このとき、制御部１１は、居住者ＤＢ１２１における該当する住戸の現在の配送物の個数を新たに入庫した配送物の個数分、増加させて更新する。
一方、ステップＳ２１１の後、配送物が入庫されなかった場合にも、制御部１１は、当該入庫されなかった件について入庫履歴を生成し、入庫履歴ＤＢ１２４に記録する（ステップＳ２１０）。
ここで記録される入庫履歴とは、入庫を試みた時期、配送先の住戸の部屋番号、入庫しようと試みた配送物の重量等が、履歴個々を特定する入庫履歴番号にそれぞれ対応付けられるものである。
【００４９】
その後、居住者は、配送業者等から電話、メール又は配送業者のホームページ上等により収納装置１０に配送物が入庫した旨を連絡されると、収納装置１０へ自身の住戸宛の配送物を取りに行く。
以上で、動作を終了する。
【００５０】
（第１の実施の形態のまとめ）
以上説明したように、本発明の第１の実施の形態によれば、配送業者が収納装置１０に配送物を入庫しようとするとき、その配送物の重量を入力すると、収納装置１０は、その住戸宛の配送物の重量が重量基準値（入庫禁止）以上であるか否か判断し、重量基準値（入庫禁止）未満の場合のみ入庫を許可するので、配送物が重く、居住者自ら収納装置１０から住戸まで運ぶことが困難であるときには、配送業者により再配送が行われることとなり、居住者はわざわざカートを用意したりして収納装置１０まで配送物を取りに行く手間を省き、その労力を効果的に軽減させることが可能となる。
【００５１】
また、本実施の形態によれば、配送業者が収納装置１０に配送物を入庫しようとするとき、その配送物の重量を入力すると、収納装置１０は、その住戸宛の配送物の重量が重量基準値（入庫位置指定）以上であるか否か判断し、重量基準値（入庫位置指定）未満かつ重量基準値（入庫位置指定）以上の場合には、入庫可能な収納ボックスを指定する。すなわち、収納装置１０は、配送物が重い場合には取り出すことが容易な下段の収納ボックスに限って入庫を許可するので、居住者が、収納ボックスの位置が高いために重い配送物の取出しが困難となるというようなことが起きることを抑制し、居住者は、配送物を収納ボックスから楽に取り出すことが可能となる。
【００５２】
なお、以上説明した第１の実施の形態によれば、収納装置１０は、配送物の重量が入力され、その入力された配送物の重量が重量基準値（入庫禁止）未満である場合には、そのままメッセージ等を表示させることなく、入庫可能な収納ボックスを検索していたが、これに代えて、軽い配送物でも容易に入庫可能な収納ボックス（例えば、上段数段、最上段）への入庫をすすめるメッセージを表示するように構成してもよい。
また、配送物の重量が重量基準値（入庫禁止）未満である場合には、例えば、下段（下段数段や最下段）の収納ボックスを施錠して入庫を禁止して、上段の収納ボックスへの入庫を配送業者に促すようにしてもよい。
以上のように、比較的軽い配送物を上段の収納ボックスへ入庫させることを誘導することにより、重い配送物を入庫する下段の収納ボックスの空きを確保することが可能となる。
【００５３】
また、以上説明した第１の実施の形態によれば、収納装置１０は、配送物の重量が重量基準値（入庫位置指定）以上である場合には、特定の収納ボックスへのみ入庫が可能であったが、これに代えて、入庫可能な収納ボックスを、特定の収納ボックスに限定しないように構成してもよい。
例えば、収納装置１０は、配送物の重量が重量基準値（入庫位置指定）以上である場合には、空いている収納ボックスのうち、下段数段や最下段の収納ボックスへの入庫を促すようメッセージを表示したり、下段数段や最下段の収納ボックスのみ入庫可能なように解錠するように構成してもよい。
【００５４】
＜第２の実施の形態＞
（第２の実施の形態の概要）
本発明の第２の実施の形態における物品収納システムは、第１の実施の形態における収納装置１０と同様に、配送物の重量に基づいて入庫自体や入庫位置を制限するものである。
第２の実施の形態における物品収納システムは、第１の実施の形態における収納装置１０に加え、収納装置１０により配送物の一時預かりサービスを利用する居住者の情報等を管理する管理サーバ２０と、上記居住者により操作される情報処理装置であるユーザ端末３０とを有して構成される。
このように構成されることにより、本実施の形態では、収納装置１０に配送物が入庫されると、その入庫された旨の荷物情報をユーザ端末３０へ送信して通知を行うことができる。居住者は、ユーザ端末３０が受信して表示した上記荷物情報の内容を確認して、自身宛の配送物を収納装置１０まで取りに行く。
また、第１の実施の形態では、居住者は、重量基準値を設定する際、収納装置１０の設置場所を直接訪れ、操作部１５を操作していたが、第２の実施の形態では、当該収納装置１０における設定方法に加え、ユーザ端末３０を操作し、ネットワーク１００を介して設定することができる。
以下、特記しない限り、本実施の形態における構成及び動作は、第１の実施の形態と同様であるとして説明を進める。
【００５５】
（第２の実施の形態の構成）
（１）物品収納システムの全体構成
図１１は、本発明の第２の実施の形態における物品収納システムの構成を示す図である。
図に示すように、物品収納システムは、配送物を一時預け入れる収納装置１０と、その収納装置１０により配送物の一時預かりサービスを利用する居住者の情報等を管理する管理サーバ２０と、上記居住者により操作される情報処理装置であるユーザ端末３０とを有し、これらがネットワーク１００を介して接続されて構成される。
収納装置１０は、配送物が入庫されると、その荷物情報をユーザ端末３０へ送信して入庫した旨を居住者に伝える。このとき、荷物情報には、入庫された配送物の重量についての情報も含まれており、これを知った居住者は、重い配送物の場合には、前もって配送物運搬用のカートを用意しておく等、準備をすることが可能となる。
【００５６】
（２）収納装置１０の構成
図１２は、本発明の第２の実施の形態における収納装置１０の構成を示す図である。
図に示すように、収納装置１０は、ＣＰＵ等から構成され収納装置１０全体を制御する制御部１１と、各種情報を格納する情報格納部１２と、居住者宛の配送物を収納する収納部１３と、各種情報を表示する表示部１４と、各種キーを備え情報入力が可能であるとともに、後述の居住者カード等に書き込まれた認証用の情報の読取り等をする操作部１５と、接続されるネットワーク１００を介して情報の送受信を行う通信部１６とを有して構成される。
このように、本実施の形態における収納装置１０は、第１の実施の形態における収納装置１０に対してさらに通信部１６が追加して構成されている。
本実施の形態では、収納装置１０は、この通信部１６を用いて、収納装置１０及び管理サーバ２０と情報の送受信を行うことができるようになっている。
【００５７】
図１３は、本発明の第２の実施の形態における情報格納部１２が格納する各データベース１２１〜１２５を示す図である。
図に示すように、情報格納部１２は、居住者が収納部１２を解錠する際に必要なパスワード等の認証情報を管理する居住者ＤＢ１２１と、収納部１２を構成する複数の収納ボックスの位置及び使用状況を管理する収納ボックスＤＢ１２２と、配送物を収納装置１０へ入庫禁止にしたり入庫する収納ボックス位置の指定を行ったりするときの配送物の重量の基準を管理する重量基準ＤＢ１２３と、各収納ボックスへの入庫履歴を管理する入庫履歴ＤＢ１２４と、ユーザ端末３０へ通知する内容を決定するための基準を各居住者（住戸）ごとに管理する通知ＤＢ１２５とを格納する。
このように、本発明の第２の実施の形態における情報格納部１２は、第１の実施の形態における情報格納部１２の構成に加えて、通知ＤＢ１２５を格納する。
【００５８】
図１４は、本発明の第２の実施の形態における通知ＤＢ１２５のデータ構成を示す図である。
通知ＤＢ１２５は、配送物の重量に応じて居住者へ通知を行う際の基準（重量基準値）を管理するものである。
図１４に示す例では、通知ＤＢ１２５は、配送物が所定以上の重量であった場合に当該配送物の宛先の居住者に対して、荷物情報においてその旨を通知する際の基準を示す重量基準値（通知）を、それぞれ居住者を特定する個別のＩＤ（居住者ＩＤ）に対応付けて格納している。
例えば、居住者ＩＤが「０００１」の居住者宛の配送物が、１ｋｇ以上の重量であった場合、収納装置１０は、当該居住者宛に通知される荷物情報に上記配送物の重量の情報を記載する。
【００５９】
また、本実施の形態では、入庫履歴ＤＢ１２４は、第１の実施の形態において管理している各項目に加え、入庫された配送物の重量についても各入庫履歴番号に対応付けて管理している。
【００６０】
（３）管理サーバ２０の構成
管理サーバ２０は、ネットワーク１００を介して収納装置１０と接続される情報処理装置であって、収納装置１０と同様に、配送物の収納等に係る情報を管理する。
図１５は、本発明の第２の実施の形態における管理サーバ２０の構成を示す図である。
図に示すように、管理サーバ２０は、ＣＰＵ等により構成され、管理サーバ２０全体を制御する制御部２１と、各種情報を格納する情報格納部２２と、接続されるネットワーク１００を介して情報の送受信を行う通信部２３とを有して構成される。
【００６１】
情報格納部２２は、居住者ＤＢ２２１と、収納ボックスＤＢ２２２と、重量基準ＤＢ２２３と、入庫履歴ＤＢ２２４と、通知ＤＢ２２５とを格納する。
これら各データベース２２１〜２２５のデータ構成は、収納装置１０に格納されていた同名称の各データベース１２１〜１２５とそれぞれ同様である。
ただし、居住者ＤＢ２２１は、居住者ＤＢ１２１のデータ構成に加えて、居住者の個人情報（住所、電話番号等）を管理する。
【００６２】
管理サーバ２０は、ネットワーク１００を介して管理サーバ２０の管理事業者の端末（ＰＣ、携帯端末等，図示せず）と接続されている。
例えば、管理事業者は、電話やＦＡＸ等で居住者から物品収納システムが提供するサービスの利用登録を受け付けたり、管理事業者の端末によりユーザ端末３０から当該利用登録を受け付けたりした場合には、上記管理事業者の端末を用いて、上記受付の際、居住者側から提示された居住者の個人情報や重量基準値等を管理サーバ２０へ送信して、管理サーバ２０内の各データベース２２１〜２２５に登録を行う。
また、上記居住者の個人情報や重量基準値等に変更があった場合等には、同様に、管理事業者は、自身の端末を用いて、その変更した内容の情報を管理サーバ２０へ送信し、管理サーバ２０は、その情報を受信すると、各データベース２２１〜２２５で管理する情報を当該内容に変更する。
【００６３】
また、本実施の形態においては、上記管理事業者の端末による設定に加えて、第１の実施の形態と同様に、居住者が、収納装置１０の操作部１５を直接操作して、個人情報や重量基準値を設定することができる。
【００６４】
また、管理サーバ２０は、収納装置１０の利用サービスにおけるいわゆるマイページ（画面情報）を各居住者のユーザＩＤに対応付けて情報格納部２２に格納し、居住者のユーザ端末３０からの要求に応じて送信することにより、当該居住者の住戸宛の配送物の情報を提供する。
このマイページとは例えばＷｅｂページ等の画面情報であって、収納装置１０を利用した配送物の一時預け入れサービスを利用する居住者個々ごとに設けられ、当該各居住者だけがパスワード等を入力してログインし閲覧できる画面情報であり、各居住者宛の配送物の情報や収納装置１０の使用状況等の情報が表示される。
例えば、マイページには、居住者への配送物が収納装置１０に入庫されている又は入庫されたこと、あるいは配送物に合った収納ボックスの空きがない等の理由で入庫されなかった旨の情報、すなわち荷物情報が表示される。
さらに、このマイページには、上記荷物情報における配送物の重量が表示される。
居住者は、そのマイページ上に表示された自身宛の配送物の重量を確認することができる。
【００６５】
例えば、マイページがＷｅｂページである場合には、管理サーバ２０は、Ｗｅｂサーバとしての機能を備えており、取得要求に応じてマイページをユーザ端末３０へ送信する。
また、マイページは、収納装置１０に格納されていてもよい。この場合、ユーザ端末３０は、収納装置１０に対してマイページの取得要求を送信して、マイページを受信する。
【００６６】
本実施の形態においては、居住者が収納装置１０を直接操作して設定する方法及び管理事業者の端末から設定する方法に加え、居住者は、上記マイページにおいて、重量基準値及び個人情報の設定を行うことができる。
この内容について詳しくは後述する。
また、このマイページを用いて、入庫された又は入庫を試みたがされなかった配送物の重量をユーザ側に通知することもできるが、この方法についても詳しくは後述する。
【００６７】
上記個人情報や重量基準値については、当該設定又は更新ごとに、あるいは所定のタイミングで、管理サーバ２０は、その更新された各データベース２２１〜２２５内のデータを収納装置１０へ送信し、収納装置１０は、自身に格納されている各データベース１２１〜１２５のデータ内容を上記管理サーバ２０から受信したデータ内容に更新する。
また、管理サーバ２０は、当該設定又は更新ごとに、あるいは所定のタイミングで、収納装置１０に対して個人情報や重量基準値に設定や変更があるかを問合せ、各データベース１２１〜１２５と各データベース２２１〜２２５との間で同期をとるようにしてもよい。
また、収納装置１０は、入庫履歴ＤＢ１２４で管理する入庫履歴を所定時期ごとに、又は管理サーバ２０からの要求等により管理サーバ２０へ送信し、管理サーバ２０は、それら入庫履歴を収納装置１０から受信すると、入庫履歴ＤＢ２２４に記録する。
これら同期の方法については、サーバ・端末間の一般的な方法と同様であるので、その詳細は省略する。
【００６８】
（４）ユーザ端末３０の構成
ユーザ端末３０は、集合住宅の居住者等により操作される情報処理装置であって、例えば、スマートフォン、携帯電話機、ＰＨＳ（Ｐｅｒｓｏｎａｌ  Ｈａｎｄｙｐｈｏｎｅ  Ｓｙｓｔｅｍ）、またはＰＤＡ（Ｐｅｒｓｏｎａｌ  Ｄｉｇｉｔａｌ  Ａｓｓｉｓｔａｎｔ）等の携帯通信端末であってもよいし、タワー、デスクトップ、またはノートブックの各型のＰＣ（Ｐｅｒｓｏｎａｌ  Ｃｏｍｐｕｔｅｒ）であってもよい。
【００６９】
図１６は、本発明の第２の実施の形態におけるユーザ端末３０の構成を示す図である。
図に示すように、ユーザ端末３０は、ＣＰＵ等から構成されユーザ端末３０全体を制御する制御部３１と、各種情報を格納する情報格納部３２と、接続されるネットワーク１００を介して情報の送受信を行う通信部３３と、各種情報を表示する表示部３４と、各種キーを備え情報入力を行う操作部３５とを有して構成される。
【００７０】
居住者は、ユーザ端末３０を用いて、収納装置１０にアクセスし、収納装置１０における各収納ボックスの収納状況（収納ボックスのボックス番号、配送物が収納されているか否か、配送物の重量等）を確認することができる。
【００７１】
（第２の実施の形態の動作）
（１）重量基準値の設定動作
本実施の形態では、第１の実施の形態と同様に、居住者等は収納装置１０の操作部１５を操作して、重量基準値を重量基準ＤＢ１２３に登録する。
本実施の形態では、この方法に加え、居住者等は、ユーザ端末３０を用い、ネットワーク１００を介して重量基準値（入庫禁止・入庫位置指定・通知）を重量基準ＤＢ１２３及び通知ＤＢ１２５に登録することができる。
図１７は、本発明の第２の実施の形態における重量基準値の登録動作の流れを示すフローチャートである。
以下、本図に沿って、上記重量基準値（入庫禁止・入庫位置指定・通知）の登録動作について説明を進める。
【００７２】
まず、居住者等は、ユーザ端末３０を用いて、マイページの取得要求を管理サーバ２０へ送信する（ステップＳ３０１）。
管理サーバ２０は、上記マイページの取得要求を受信すると、マイページへのログイン用の画面情報をユーザ端末３０へ送信する（ステップＳ３０２）。
【００７３】
ユーザ端末３０は、ログイン用の画面情報を受信すると、表示部３４上に表示する（ステップＳ３０３）。
例えば、このログイン用の画面情報上には、当該居住者の居住者ＩＤ又は部屋番号の入力欄と、パスワードの入力欄とが表示される。
そこで、居住者は、操作部３５を操作して、これら入力欄に必要な情報を入力する（ステップＳ３０４）。
ユーザ端末３０は、上記入力された情報（居住者ＩＤ、部屋番号、パスワード等）を管理サーバ２０へ送信する（ステップＳ３０５）。
【００７４】
管理サーバ２０は、上記入力された情報をユーザ端末３０から受信すると、これら情報が互いに対応付けられて居住者ＤＢ２２１に登録されているか否かを判断し、認証を行う（ステップＳ３０６）。
例えば、ステップＳ３０６において、制御部２１は、居住者ＤＢ２２１において、ユーザ端末３０から送信された部屋番号とパスワードとが互いに対応付けられているか否かについて判断する。ここで、管理サーバ２０は、互いに対応付けられていれば認証成功、対応付けられていなければ認証失敗と判断する。
ここで、管理サーバ２０は、認証失敗と判断すると（ステップＳ３０６／Ｎｏ）、マイページをユーザ端末３０へ送信することなく、動作を終了する。
【００７５】
一方、管理サーバ２０は、認証成功と判断すると（ステップＳ３０６／Ｙｅｓ）、各データベース２２１〜２２５から所定の項目の情報を抽出し、当該居住者のマイページを作成し（ステップＳ３０７）、ユーザ端末３０へ送信する（ステップＳ３０８）。
ここで、各データベース２２１〜２２５から抽出される情報とは、例えば、居住者の氏名、当該居住者宛の配送物の現在の状況（どの収納ボックスに入庫されているか等）、当該居住者の配送物の重量等であり、これらの情報がマイページ上に表示される。
【００７６】
ユーザ端末３０は、マイページを管理サーバ２０から受信すると、表示する（ステップＳ３０９）。
このマイページには、重量基準値（入庫禁止・入庫位置指定・通知）を登録又は変更するための入力欄が設けられている。
ここで、居住者は、操作部３５を用いて、上記各重量基準値を上記マイページ上の入力欄に入力する（ステップＳ３１０）。このとき、例えば、重量基準値（入庫禁止）は「２ｋｇ」、重量基準値（入庫位置指定）は「１ｋｇ」というように入力する。
そして、ユーザ端末３０は、その入力された重量基準値を当該居住者の居住者ＩＤとともに管理サーバ２０へ送信する（ステップＳ３１１）。
【００７７】
管理サーバ２０は、上記重量基準値をユーザ端末３０から受信すると、ともに受信した居住者ＩＤに対応付けて重量基準ＤＢ２２３及び通知ＤＢ２２５に登録する（ステップＳ３１２）。
以上で、重量基準値の設定動作は終了する。
【００７８】
その後、上述したように、管理サーバ２０は、収納装置１０との間で各データベースの同期をとり、マイページにおいて設定された重量基準値は、収納装置１０の重量基準ＤＢ１２３にも反映される。
これ以降、配送業者が配送物を収納装置１０に預け入れる際に入力する配送物の重量の値と、上記登録された重量基準値とに応じて、収納装置１０は入庫を禁止したり、入庫する収納ボックスを指定したり、その配送物の重量の値をユーザ端末３０へ通知したりする。
【００７９】
居住者は、上記のように一旦登録した重量基準値について、同様の操作をして変更することもできる。
また、居住者は、上記重量基準値の場合と同様の操作を行って、マイページにおいて自身の個人情報についても設定及び変更を行うことができる。
【００８０】
（２）配送物の預入れ動作
図１８は、本発明の第２の実施の形態における物品収納システムによる配送物の預入れ動作の流れを示すシーケンスチャートである。
以下、本実施の形態において、配送業者が集合住宅の居住者宛の配送物を配送するときにおける物品収納システムによる動作について、本図に沿って説明を進める。
【００８１】
図１８に示すステップＳ４０１〜Ｓ４１０，Ｓ４１５の動作は、図１０のステップＳ２０１〜Ｓ２１１の動作と同様であるので、ここではその説明を省略する。
【００８２】
入庫履歴を記録した後（ステップＳ４１０）、収納装置１０の制御部１１は、配送物が入庫されたか否かを判断する（ステップＳ４１１）。
入庫されなかったと判断された場合には（ステップＳ４１１／Ｎｏ）、動作は終了する。
【００８３】
一方、配送物が入庫されたと判断された場合には（ステップＳ４１１／Ｙｅｓ）、収納装置１０の制御部１１は、通知ＤＢ１２５を参照して、ステップＳ４０４において入力された重量が通知の対象となっているか否か判断する（ステップＳ４１２）。
ここで、制御部１１は、上記入力された重量が重量基準値（通知）以上である場合には（ステップＳ４１２／Ｙｅｓ）、当該重量が通知の対象となっていると判断し、荷物情報に当該配送物の重量の情報を含めることを決定する（ステップＳ４１３）。
そして、制御部１１は、上記記録した入庫履歴に基づいて、その配送物が入庫された旨の荷物情報を作成し、該当する居住者のユーザ端末３０へ通知する（ステップＳ４１４）。
その通知内容としては、例えば、配送物が入庫したこと、新たに入庫した配送物の重量、及び入庫した収納ボックスのボックス番号等である。
【００８４】
一方、制御部１１は、上記入力された重量が重量基準値（通知）未満である場合には（ステップＳ４１２／Ｎｏ）、当該重量が通知の対象となっていないと判断し、上記記録した入庫履歴に基づいて、その配送物が入庫された旨の荷物情報を作成し、作成した情報に当該配送物の重量の情報を含めずに、該当する居住者のユーザ端末３０へ通知する（ステップＳ４１４）。
以上で、動作を終了する。
【００８５】
（第２の実施の形態のまとめ）
以上説明したように、本発明の第２の実施の形態によれば、配送業者が収納装置１０に配送物を入庫しようとするとき、その配送物の重量を入力すると、収納装置１０は、その住戸宛の配送物の重量が重量基準値（入庫禁止）以上であるか否か判断し、重量基準値（入庫禁止）未満の場合のみ入庫を許可するので、配送物が重く、居住者自ら収納装置１０から住戸まで運ぶことが困難であるときには、配送業者により再配送が行われることとなり、居住者はわざわざカートを用意したりして収納装置１０まで配送物を取りに行く手間を省き、その労力を効果的に軽減させることが可能となる。
【００８６】
また、本実施の形態によれば、配送業者が収納装置１０に配送物を入庫しようとするとき、その配送物の重量を入力すると、収納装置１０は、その住戸宛の配送物の重量が重量基準値（入庫位置指定）以上であるか否か判断し、重量基準値（入庫位置指定）未満かつ重量基準値（入庫位置指定）以上の場合には、入庫可能な収納ボックスを指定する。すなわち、収納装置１０は、配送物が重い場合には取り出すことが容易な下段の収納ボックスに限って入庫を許可するので、居住者が、収納ボックスの位置が高いために重い配送物の取出しが困難となるというようなことが起きることを抑制し、居住者は、配送物を収納ボックスから楽に取り出すことが可能となる。
【００８７】
また、本実施の形態によれば、配送業者が収納装置１０に配送物を入庫しようとするとき、その配送物の重量を入力すると、収納装置１０は、その住戸宛の配送物の重量が重量基準値（通知）以上であるか否か判断し、重量基準値（通知）以上の場合、その旨を配送宛の居住者のユーザ端末３０へ通知するので、居住者は、自分宛の配送物の重量を事前に知ることができ、収納装置１０へ配送物を取りに行くとき、前もって運搬用のカートを借りておく等の準備を行うことができる。
【００８８】
なお、本実施の形態では、収納装置１０が、配送物の重量の情報が入力されると、重量基準ＤＢ１２３を参照し、収納ボックスへの入庫の禁止や入庫位置の指定を行っていたが、これら入庫の禁止や入庫位置の指定を収納装置１０以外の制御装置が行ってもよい。
例えば、上記制御装置を管理サーバ２０とした場合、収納装置１０は、配送物の重量の情報が入力されると、同様に入力された居住者ＩＤとともに管理サーバ２０へ送信する。
管理サーバ２０は、その配送物の重量の情報と居住者ＩＤを受信すると、重量基準ＤＢ２２３を参照し、当該配送物について入庫の禁止や入庫位置の指定に該当するか否かを判断し、その結果に基づく制御信号を収納装置１０へ送信する。
収納装置１０は、上記制御信号を管理サーバ２０から受信すると、当該受信した制御信号の内容に応じて、入庫を禁止したり、入庫位置の指定を行ったりする。
【００８９】
また、本実施の形態では、収納装置１０が荷物情報をユーザ端末３０へ送信していたが、管理サーバ２０が上述のとおり収納装置１０と入庫履歴ＤＢ１２４，２２４の同期をとった後、その入庫履歴に基づいて荷物情報をユーザ端末３０へ送信するよう構成してもよい。
【００９０】
また、荷物情報の通知方法としては、上記電子メールの他に、いわゆるマイページ、情報閲覧用アプリ（ソフトウェア）又はＳＮＳアプリ（ソフトウェア）を用いた方法がある。
まず、マイページを用いた荷物情報の通知方法について説明する。
上述のように、居住者は、ユーザ端末３０を用いて、ブラウザ等の画面情報の表示用ソフトウェアを起動し、収納装置１０又は管理サーバ２０に対してマイページの取得要求を送信すると、収納装置１０又は管理サーバ２０は、その取得要求に応じてマイページをユーザ端末３０へ送信する。
ユーザ端末３０は、マイページを収納装置１０又は管理サーバ２０から取得すると、表示する。このマイページには、配送物の重量の情報を含む荷物情報が表示されるので、居住者は、当該マイページを閲覧することにより、配送物の重量を確認することができる。
【００９１】
また、ユーザ端末３０は、荷物情報の画面情報の閲覧用のアプリ（ソフトウェア）をインストールして、表示部３４上に配送物の合計個数を表示するようにしてもよい。
居住者は、当該アプリをインストール後、操作部３５を操作して、上記アプリを起動し、ユーザ端末３０は、荷物情報の取得要求を収納装置１０又は管理サーバ２０に対して送信すると、収納装置１０又は管理サーバ２０は、その取得要求に応じて荷物情報をユーザ端末３０へ送信する。
ユーザ端末３０は、荷物情報を収納装置１０又は管理サーバ２０から取得すると、表示する。
【００９２】
また、居住者は、荷物情報をユーザ端末３０にインストールされたＳＮＳのアプリ（ソフトウェア）を利用して取得するようにしてもよい。
この場合、居住者は、収納装置１０又は管理サーバ２０を管理し、上記荷物情報の通知サービスを運営する管理事業者をいわゆる「ともだち」、「友人」又は「お気に入り」等のリストに加えることにより、居住者と管理事業者との間で所定のＩＤ（例えばユーザＩＤ）を共有する。
これ以降、収納装置１０又は管理サーバ２０は、配送物が入庫されたとき、又は入庫を試みたがされなかったとき、荷物情報を生成し、その生成した荷物情報を上記共有するＩＤの居住者のユーザ端末３０へ通知する。このとき、収納装置１０又は管理サーバ２０から送信された荷物情報は、一旦ＳＮＳの運営サーバ（図示せず）に格納され、ユーザ端末３０は、当該ＳＮＳの運営サーバに問い合わせ、当該荷物情報を受信するよう構成してもよい。
ユーザ端末３０は、収納装置１０又は管理サーバ２０から荷物情報を受信すると、ＳＮＳで提供するメールサービス又は掲示板サービスにおいて、その荷物情報を受信し、表示部３４上に表示する。
【００９３】
上述のように、本実施の形態におけるユーザ端末３０への荷物情報の通知は、電子メール、マイページ又はアプリ等あらゆる方法により行われ、その方法は限定しないものとする。
本発明の第２の実施の形態では、物品収納システムは、所定以上の重量の配送物が収納装置１０に入庫されると、その旨をユーザ端末３０へ通知するよう構成されているので、居住者がカートを借りる等、事前に配送物を収納装置１０から自身の住戸まで運ぶ準備をすることが可能となっている。
【００９４】
＜第３の実施の形態＞
（第３の実施の形態の概要）
以上説明した第１，２の実施の形態では、配送物の重量が大きい場合には、収納装置１０への入庫を禁止することで、居住者が配送物を収納装置１０から自身の住戸まで運ぶ労力を軽減させていた。また、配送物が所定以上の重量である場合には、その旨を配送宛の居住者へ通知することで、居住者が予め配送物運搬用のカートを用意する等、事前に配送物を収納装置１０まで取りに行く準備ができるようにしていた。
これに対し、本発明の第３の実施の形態では、収納装置１０は配送物の種類や内容に応じて、特定の収納ボックスへの入庫を禁止することで、居住者に対して配送物をその種類等に合った渡し方ができるようにする。また、配送物の種類等を配送宛の居住者へ通知することで、居住者が事前に配送物を収納装置１０まで取りに行く準備ができるようにする。
以下、特記しない限り、本発明の第３の実施の形態における構成及び動作等は、本発明の第１の実施の形態と同様であるものとして説明を進める。
【００９５】
（第３の実施の形態における構成）
（１）全体構成
本発明の第３の実施の形態においては、第１の実施の形態と同様に、収納装置１０が集合住宅のエントランス等に設置されている。
以下、本実施の形態における収納装置１０の構成について詳細に説明する。
【００９６】
（２）収納装置１０の構成
図１９は、本発明の第３の実施の形態における情報格納部１２が格納する各データベース１２１〜１２６を示す図である。
図に示すように、本実施の形態における情報格納部１２は、居住者ＤＢ１２１と、収納ボックスＤＢ１２２と、入庫履歴ＤＢ１２４と、種類基準ＤＢ１２６とを管理する。
このように、本実施の形態において、情報格納部１２は、本発明の第１の実施の形態における重量基準ＤＢ１２３に代えて、配送物の種類等に応じた収納装置１０への預入れの許否を各居住者ごとに定めた種類基準ＤＢ１２６を格納している。
以下、情報格納部１２が格納する各データベースのデータ構成について詳細に説明する。ただし、居住者ＤＢ１２１のデータ構成については、第１の実施の形態と同様であるので、その説明を省略する。
【００９７】
図２０は、本発明の第３の実施の形態における収納ボックスＤＢ１２２のデータ構成を示す図である。
図に示すように、本実施の形態における収納ボックスＤＢ１２２は、第１の実施の形態における収納ボックスＤＢ１２２が管理するデータに加えて、各収納ボックスの種類を管理する。
収納ボックスの種類とは、その収納ボックスに収納可能な配送物の種類を示す情報である。本実施の形態では、収納ボックスの種類は、一例として、「普通」、「冷蔵」、「冷凍」、「ゴルフ・スキー」の４種類がある。
収納ボックスの種類が「冷蔵」となっている収納ボックスは、冷蔵機能を備えており、食品等の要冷蔵の配送物を収納可能である。
収納ボックスの種類が「冷凍」となっている収納ボックスは、冷凍機能を備えており、食品等の要冷凍の配送物を収納可能である。
収納ボックスの種類が「ゴルフ・スキー」となっている収納ボックスは、ゴルフクラブやスキー等の長尺の配送物を収納するのに十分な収納空間を有しているものである。
収納ボックスの種類が「普通」となっている収納ボックスは、上記「冷蔵」、「冷凍」及び「ゴルフ・スキー」の収納ボックスにおいて収納対象とする配送物以外の配送物（冷蔵・冷凍が不要であり、長尺ではない配送物）を収納する。
図２０の例では、収納ボックスＢ９の種類は「冷蔵」であり、現在使用中、すなわち、要冷蔵の配送物が収納中である。収納ボックスの種類が「冷蔵」の収納ボックスは、収納ボックスＢ９以外にはないため、この時点で、新たに要冷蔵の配送物が配送されたとしても、図に示す収納装置１０に収納することはできない。
一方、要冷凍の配送物が配送された場合には、収納ボックスの種類が「冷凍」の収納ボックスＢ８の使用状況が「空き」であるので、この収納ボックスＢ８に収納することができる。
【００９８】
図２１は、本発明の第３の実施の形態における入庫履歴ＤＢ１２４のデータ構成を示す図である。
以下説明するように、本実施の形態における入庫履歴ＤＢ１２４は、図８に示す第１の実施の形態における入庫履歴ＤＢ１２４で管理される項目に加えて、入庫された配送物の種類（普通、要冷蔵、要冷凍、ゴルフ、スキー、・・・等）も管理する。
図２１に示す例では、入庫履歴ＤＢ１２４は、配送物の入庫時期と、入庫された収納ボックスのボックス番号と、配送先の居住者ＩＤと、当該配送物の種類とを、入庫順に付与される入庫履歴番号にそれぞれ対応付けて格納している。
【００９９】
図２２は、本発明の第３の実施の形態における種類基準ＤＢ１２６のデータ構成を示す図である。
図に示す例では、種類基準ＤＢ１２６は、配送物の各種類（普通、冷蔵、冷凍、ゴルフ・スキー）について収納装置１０への入庫の許否を示す情報（以下、「種類基準情報」という）が、各居住者ごとに管理されている。
【０１００】
例えば、図に示す種類基準ＤＢ１２６において管理される種類基準情報では、居住者のＩＤが「０００１」の居住者宛の配送物の種類が「普通」の場合のみ「○」に設定されており、収納装置１０への入庫が許可されている。一方、「冷蔵」、「冷凍」及び「ゴルフ・スキー」の配送物は「×」に設定されており、収納装置１０への入庫が禁止され、当該居住者の住戸へ直接配送される。
【０１０１】
（第３の実施の形態の動作）
（１）種類基準情報の設定動作
上述のとおり、種類基準ＤＢ１２６においては、種類基準情報が管理される。居住者又は居住者の依頼を受けた者は、これら種類基準情報を収納装置１０の操作部１５を直接操作して入力し、種類基準ＤＢ１２６に登録することができる。
この種類基準情報の登録方法については、図９に示す重量基準値の登録方法と同様であるので、その詳細な説明は省略する。
【０１０２】
（２）配送物の預入れ動作
図２３は、本発明の第３の実施の形態における収納装置１０による配送物の預入れ動作の流れを示すフローチャートである。
以下、本実施の形態において、配送業者が集合住宅の居住者宛の配送物を配送するときにおける収納装置１０による動作について、本図に沿って説明を進める。
【０１０３】
まず、配送業者は、居住者宛の配送物を持って集合住宅を訪れ、共用部又は住戸の玄関のインターホン等で配送物があることを居住者に呼び掛け、居住者の在宅又は不在を確認する。
ここで、居住者からの応答がなく、不在である場合には、配送業者は、居住者宛の配送物を収納装置１０に一時預け入れるため、収納装置１０が設置されている集合住宅のエントランス等を訪れる。
そこで、配送業者は、収納装置１０の表示部１４に表示されている配送物の「預入れ」か「取出し」かの選択画面において、操作部１５を操作して、「預入れ」を選択する（ステップＳ５０１）。
【０１０４】
「預入れ」が選択されると、表示部１４は、「配送物の預入れ」に伴って行われるサービス内容又はそのサービスを行う事業者名の一覧を表示する。
そこで、配送業者は、操作部１５を操作して、そのサービス内容及び事業者名から自身に該当するものを選択する（ステップＳ５０２）。
【０１０５】
サービス内容及び事業者名が選択されると、表示部１４は、配送宛の集合住宅の部屋番号の入力画面を表示する。
ここで、配送業者は、今回預け入れる配送物の伝票等を確認して、操作部１５を操作して、配送宛の部屋番号を入力する（ステップＳ５０３）。
【０１０６】
配送宛の部屋番号が入力されると、表示部１４は、今回預け入れる配送物の種類の入力画面を表示する。
ここで、配送業者は、操作部１５を操作して、上記入力した部屋番号宛（例えば部屋番号１０１宛）に今回新たに預け入れる各配送物の種類を入力する（ステップＳ５０４）。
例えば、この配送物の種類の入力画面上には「冷蔵」、「冷凍」、「ゴルフ・スキー」のように配送物の種類のアイコン等が表示され、配送業者が操作部１５を用いて、今回入庫する配送物の種類に該当するアイコンを選択するようにしてもよい。
【０１０７】
上記のとおり、配送物の種類が入力されると、収納装置１０の制御部１１は、種類基準ＤＢ１２６を参照し、入力された部屋番号の居住者が、入力された種類の配送物が収納装置１０に入庫されることを許可しているか否かを判断する（ステップＳ５０５）。
ステップＳ５０５において、例えば、ステップＳ５０３で入力された部屋番号が「３０６」である場合には、制御部１１は、図５に示す居住者ＤＢ１２１を参照し、部屋番号「３０６」に対応付けられている居住者ＩＤ「０００２」を抽出する。
次に、制御部１１は、種類基準ＤＢ１２６を参照し、当該抽出した居住者ＩＤ「０００２」の居住者が、上記ステップＳ５０４において入力された種類の配送物を収納装置１０に入庫することを許可しているか否か判断する。
ここで、ステップＳ５０４において入力された配送物の種類が「冷蔵」であった場合、種類基準ＤＢ１２６において、居住者ＩＤ「０００２」の居住者について、配送物の種類「冷蔵」が「×」に設定されているので、制御部１１は、当該配送物の収納装置１０への入庫が禁止されていると判断する。
一方、ステップＳ５０４において入力された配送物の種類が「ゴルフ・スキー」であった場合、種類基準ＤＢ１２６において、居住者ＩＤ「０００２」の居住者について、配送物の種類「ゴルフ・スキー」が「○」に設定されているので、制御部１１は、当該配送物の収納装置１０への入庫が許可されていると判断する。
【０１０８】
当該種類の配送物の入庫が禁止されていると判断された場合には（ステップＳ５０５／Ｎｏ）、制御部１１は、当該配送物を全ての収納ボックスへ入庫することを禁止する旨のメッセージを表示部１４に表示させ（ステップＳ５１０）、配送業者に対し、当該配送物の入庫を行わないよう促した後、ステップＳ５０９の処理へ進む。
【０１０９】
一方、当該種類の配送物の入庫が許可されている場合には（ステップＳ５０５／Ｙｅｓ）、制御部１１は、収納ボックスへの入庫禁止のメッセージを表示部１４に表示させることなく、当該種類の配送物の入庫が可能な収納ボックスがあるか否かを判断する（ステップＳ５０６）。
このステップＳ５０６においては、まず、制御部１１は、図１８に示すような収納ボックスＤＢ１２２を参照し、上記ステップＳ５０４において入力された配送物の種類に基づいて、入庫を許可されている収納ボックスを検出する。
例えば、その配送物の種類が「ゴルフ・スキー」である場合、制御部１１は、収納ボックスＤＢ１２２の「収納ボックスの種類」において「ゴルフ・スキー」が含まれる収納ボックスＢ６を検出する。そして、制御部１１は、その収納ボックスＢ６が「ゴルフ・スキー」の配送物を唯一収納可能な収納ボックスであり、使用中であるため、当該種類の配送物の収納が可能な収納ボックスはないと判断する。
一方、その配送物の種類が「普通」である場合、制御部１１は、収納ボックスＤＢ１２２の「収納ボックスの種類」において「普通」が含まれる収納ボックスＢ１〜Ｂ７を検出する。そして、制御部１１は、それら収納ボックスＢ１〜Ｂ７の使用状態を検出し、その結果、収納ボックスＢ３，Ｂ４，Ｂ５，Ｂ７の「空き」であるため、当該種類の配送物の収納が可能な収納ボックスがあると判断する。
【０１１０】
ステップＳ５０６において、制御部１１は、当該種類の配送物が収納可能な収納ボックスがあると判断した場合（ステップＳ５０６／Ｙｅｓ）、その空きがあって入庫可能な収納ボックスの位置を表示部１４に表示させ（ステップＳ５０７）、配送業者に対し、当該配送物を当該表示中の収納ボックスに入庫することを促す。
そして、配送業者は、表示部１４に位置が表示された収納ボックスに配送物を入庫し、閉扉すると、制御部１１は、当該入庫した収納ボックスを施錠する（ステップＳ５０８）。
【０１１１】
一方、ステップＳ５０６において、制御部１１は、当該種類の配送物が収納可能な収納ボックスがないと判断した場合（ステップＳ５０６／Ｎｏ）、該当する配送物の入庫を禁止する旨のメッセージを表示部１４に表示させ（ステップＳ５１０）、配送業者に対し、当該配送物の入庫を行わないように促した後、ステップＳ５０９の処理へ進む。
【０１１２】
ステップＳ５０８の処理の後、制御部１１は、上記配送物の入庫について入庫履歴を生成し、入庫履歴ＤＢ１２４に記録する（ステップＳ５０９）。
ここで記録される入庫履歴とは、入庫時期、収納ボックスのボックス番号、配送先の住戸の部屋番号、入庫された配送物の種類等が、履歴個々を特定する入庫履歴番号にそれぞれ対応付けられるものである。
一方、ステップＳ５１０の処理の後、つまり、配送物が入庫されなかった場合にも、制御部１１は、上記配送物の入庫について入庫履歴を生成し、入庫履歴ＤＢ１２４に記録する（ステップＳ５０９）。
ここで記録される入庫履歴とは、入庫を試みた時期、配送先の住戸の部屋番号、入庫さを試みた配送物の種類等が、履歴個々を特定する入庫履歴番号にそれぞれ対応付けられるものである。
以上で、動作を終了する。
【０１１３】
（第３の実施の形態のまとめ）
以上説明したように、本発明の第３の実施の形態によれば、配送業者が収納装置１０に配送物を入庫しようとするとき、その配送物の種類等を入力すると、収納装置１０は、その種類等の配送物の入庫が許可されているか否かを判断し、許可されていない場合には入庫を禁止する旨の表示等を行い、配送業者は、配送先の居住者が不在時に、配送物の種類等によっては収納装置１０への入庫を行わずに当該居住者住戸までの再配送を行うので、居住者は収納装置１０への一時預かりを希望しない種類等の配送物を容易に直接受け取ることが可能となる。
例えば、居住者が要冷蔵の配送物については収納装置１０に収納することなく、直接受け取りたいと考えている場合には、種類基準情報においてそのように設定しておくことにより、希望通り受け取ることができる。
【０１１４】
＜第４の実施の形態＞
（第４の実施の形態の概要）
本発明の第４の実施の形態における物品収納システムは、第３の実施の形態における収納装置１０と同様に、配送物の種類等に基づいて入庫を制限するものである。
本発明の第４の実施の形態における物品収納システムは、第３の実施の形態における収納装置１０に加え、第２の実施の形態と同様に、収納装置１０により配送物の一時預かりサービスを利用する居住者の情報等を管理する管理サーバ２０と、上記居住者により操作される情報処理装置であるユーザ端末３０とを有して構成される。
このように構成されることにより、本実施の形態では、収納装置１０に配送物が入庫されると、その入庫された旨の荷物情報をユーザ端末３０へ送信して通知を行う。
居住者は、ユーザ端末３０が受信して表示した上記荷物情報の内容を確認して、自身宛の配送物を収納装置１０まで取りに行く。
また、第３の実施の形態では、居住者は、種類基準情報を設定する際、収納装置１０の設置場所を直接訪れ、操作部１５を操作していたが、第４の実施の形態では、当該収納装置１０における設定方法に加え、ユーザ端末３０を操作し、ネットワーク１００を介して設定することができる。
以下、特記しない限り、本実施の形態における構成及び動作は、第３の実施の形態と同様であるとして説明を進める。
【０１１５】
（第４の実施の形態の構成）
（１）物品収納システムの全体構成
上述のように、本発明の第４の実施の形態における物品収納システムは、第２の実施の形態と同様に、配送物を一時預け入れる収納装置１０と、その収納装置１０により配送物の一時預かりサービスを利用する居住者の情報等を管理する管理サーバ２０と、上記居住者により操作される情報処理装置であるユーザ端末３０とを有し、これらがネットワーク１００を介して接続されて構成され、図１１に示す本発明の第２の実施の形態における物品収納システムの構成と同様である。
収納装置１０は、配送物が入庫されると、その旨の荷物情報をユーザ端末３０へ送信して入庫したこと
を居住者に伝える。このとき、荷物情報には、入庫された配送物の種類（要冷蔵、要冷凍、ゴルフ、スキー等）についての情報も含まれており、これを知った居住者は、前もって、保冷バッグや配送物運搬用のカートを用意しておく等、準備をすることが可能となる。
【０１１６】
（２）収納装置１０の構成
本発明の第４の実施の形態における収納装置１０は、第３の実施の形態における収納装置１０の構成に加えて、ネットワーク１００を介して管理サーバ２０及びユーザ端末３０との間で情報の送受信を行う通信部１６をさらに有して構成され、図１２に示す本発明の第２の実施の形態における収納装置１０の構成と同様である。
【０１１７】
図２４は、本発明の第４の実施の形態における情報格納部１２が格納する各データベース１２１〜１２６を示す図である。
図に示すように、情報格納部１２は、居住者が収納部１２を解錠する際に必要なパスワード等の認証情報を管理する居住者ＤＢ１２１と、収納部１２を構成する複数の収納ボックスの位置及び使用状況を管理する収納ボックスＤＢ１２２と、各収納ボックスへの入庫履歴を管理する入庫履歴ＤＢ１２４と、ユーザ端末３０へ通知する内容を決定するための基準を各居住者（住戸）ごとに管理する通知ＤＢ１２５と、配送物の種類等に応じた収納装置１０への預入れの許否を各居住者ごとに定めた種類基準ＤＢ１２６とを格納する。
このように、本発明の第４の実施の形態における情報格納部１２は、第３の実施の形態における情報格納部１２の構成に加えて、通知ＤＢ１２５を格納する。
【０１１８】
図２５は、本発明の第４の実施の形態における通知ＤＢ１２５のデータ構成を示す図である。
図１４に示す第２の実施の形態における通知ＤＢ１２５は、配送物の重量に応じて居住者へ通知を行う際の基準（重量基準値）を管理するものであったが、本実施の形態では、配送物の内容に応じて居住者へ通知の有無を管理するものである。
図２５に示す例では、通知ＤＢ１２５は、配送物が収納装置１０に収納されたときに配送先のユーザへ送信される配送物の荷物情報に当該配送された配送物の種類を記載するか否かを示す「配送物の種類」を、それぞれ居住者を特定する個別のＩＤ（居住者ＩＤ）に対応付けて格納している。
【０１１９】
例えば、図２５に示す通知ＤＢ１２５では、居住者ＩＤが「０００１」の居住者は、「配送物の種類」が「○」で管理されているので、当該居住者宛の荷物情報には、例えば、要冷蔵、要冷凍、ゴルフ、スキー、・・・といった配送物の種類が記載される。
一方、居住者ＩＤが「０００２」の居住者は、「配送物の種類」が「×」で管理されているので、当該居住者宛の荷物情報には、配送物の種類の記載が不要であり、記載されない。
【０１２０】
（３）管理サーバ２０の構成
本発明の第４の実施の形態における管理サーバ２０は、居住者ＤＢ２２１と、収納ボックスＤＢ２２２と、入庫履歴ＤＢ２２４と、通知ＤＢ２２５と、種類基準ＤＢ２２６とを格納する。
これら各データベース２２１〜２２６のデータ構成は、収納装置１０に格納されていた同名称の各データベース１２１〜１２６とそれぞれ同様である。
管理サーバ２０の各データベース２２１〜２２６と、収納装置１０の各データベース１２１〜１２６との同期方法については第２の実施の形態と同様であるので、説明を省略する。
【０１２１】
（第４の実施の形態の動作）
（１）種類基準情報の設定動作
上述のとおり、種類基準ＤＢ１２６においては、種類基準情報が管理される。居住者又は居住者の依頼を受けた者は、これら種類基準情報を収納装置１０の操作部１５を直接操作して入力し、種類基準ＤＢ１２６に登録し又は変更することができる。
この種類基準情報の設定方法又は変更方法については、図９に示す重量基準値の設定方法と同様（第３の実施の形態と同様）であるので、その詳細な説明は省略する。
また、管理事業者の端末を介して、又はマイページにおいて、種類基準情報を設定又は変更することができる。これらも第２の実施の形態における重量基準値を種類基準情報に置き換えたものと同様であるので、その説明を省略する。
また、個人情報についても第２の実施の形態と同様に設定又は変更を行うものとする。
【０１２２】
（２）配送物の預入れ動作
図２６は、本発明の第４の実施の形態における物品収納システムによる動作の流れを示すシーケンスチャートである。
以下、本実施の形態において、配送業者が集合住宅の居住者宛の配送物を配送するときにおける物品収納システムによる動作について、本図に沿って説明を進める。
【０１２３】
図２６に示すステップＳ６０１〜Ｓ６０９，Ｓ６１４の動作は、図２３のステップＳ５０１〜Ｓ５１０の動作と同様であるので、ここではその説明を省略する。
【０１２４】
入庫履歴を記録した後（ステップＳ６０９）、収納装置１０の制御部１１は、配送物が入庫されたか否かを判断する（ステップＳ６１０）。
入庫されなかったと判断された場合には（ステップＳ６１０／Ｎｏ）、動作は終了する。
【０１２５】
一方、配送物が入庫されたと判断された場合には（ステップＳ６１０／Ｙｅｓ）、収納装置１０の制御部１１は、通知ＤＢ１２５を参照して、配送物受取側の居住者が、配送物の種類について通知を要求しているか否か判断する（ステップＳ６１１）。
ここで、制御部１１は、通知ＤＢ１２５において、当該居住者が配送物の種類の通知を要求していると判断した場合には（ステップＳ６１１／Ｙｅｓ）、荷物情報に当該配送物の種類の情報を含めることを決定する（ステップＳ６１２）。
そして、制御部１１は、上記記録した入庫履歴に基づいて、その配送物が入庫した旨の荷物情報を作成し、該当する居住者のユーザ端末３０へ通知する（ステップＳ６１３）。
その通知内容としては、例えば、配送物が入庫されたこと、新たに入庫した配送物の種類、及び入庫した収納ボックスのボックス番号等である。
【０１２６】
一方、制御部１１は、当該居住者が配送物の種類の通知を要求していないと判断した場合には（ステップＳ６１１／Ｎｏ）、上記記録した入庫履歴に基づいて、その配送物が入庫した旨の荷物情報を作成し、作成した情報に当該配送物の重量の情報を含めずに、該当する居住者のユーザ端末３０へ通知する（ステップＳ６１３）。
以上で、動作を終了する。
【０１２７】
（第４の実施の形態のまとめ）
以上説明したように、本発明の第４の実施の形態によれば、配送業者が収納装置１０に配送物を入庫しようとするとき、その配送物の種類を入力すると、収納装置１０は、その種類の配送物の入庫が許可されているか否かを判断し、許可されていない場合には入庫を禁止する旨の表示等を行い、配送業者は、配送先の居住者が不在時に、配送物の種類によっては収納装置１０への入庫を行わずに当該居住者住戸までの再配送を行うので、居住者は収納装置１０への一時預かりを希望しない種類の配送物を容易に直接受け取ることが可能となる。
【０１２８】
また、本実施の形態によれば、配送業者が収納装置１０に配送物を入庫しようとするとき、入庫したこと又は入庫できなかったことと、その配送物の種類を配送宛の居住者のユーザ端末３０へ通知するので、例えば、居住者は、自分宛の配送物が要冷蔵である等を容易に知ることができ、早めに収納装置１０へ配送物を取りに行ったり、早めに再配送を依頼したりとその配送物を最適なタイミングで受け取ることが可能となる。
【０１２９】
なお、本実施の形態では、収納装置１０が、配送物の種類の情報が入力されると、種類基準ＤＢ１２６を参照し、収納ボックスへの入庫を禁止したりするが、当該入庫の禁止を収納装置１０以外の制御装置が制御するよう構成してもよい。
例えば、上記制御装置を管理サーバ２０とした場合、収納装置１０は、配送物の種類の情報が入力されると、同様に入力された居住者ＩＤとともに管理サーバ２０へ送信する。
管理サーバ２０は、その配送物の種類の情報と居住者ＩＤを受信すると、種類基準ＤＢ２２７を参照し、当該配送物について入庫の禁止や入庫位置の指定に該当するか否かを判断し、その結果に基づく制御信号を収納装置１０へ送信する。
収納装置１０は、上記制御信号を管理サーバ２０から受信すると、当該受信した制御信号の内容に応じて、配送物の入庫を禁止する。
【０１３０】
なお、本実施の形態におけるユーザ端末３０への荷物情報の通知は、電子メール、マイページ、情報閲覧用アプリ又はＳＮＳアプリ等を用いたあらゆる方法により行われ、その方法は限定しないものとする。
その荷物情報の通知方法については第２の実施の形態と同様であるので、その説明は省略する。
【０１３１】
＜第５の実施の形態＞
（第５の実施の形態の概要）
本発明の第５の実施の形態における配送物収納システムは、第２又は第４の実施の形態と同様に、収納装置１０と、管理サーバ２０と、ユーザ端末３０とを有して構成される。
本実施の形態では、着荷通知又は配送物が入庫されなかった旨の通知を居住者側に送信する際に、当該居住者宛の現在の配送物の合計入庫数も併せて通知するというものである。
以下、特記しない限り、本実施の形態における構成及び動作は、第２又は第４の実施の形態と同様であるとして説明を進める。
【０１３２】
（第５の実施の形態の構成）
（１）物品収納システムの全体構成
上述のように、本発明の第５の実施の形態における物品収納システムは、第２又は第４の実施の形態と同様に、配送物を一時預け入れる収納装置１０と、その収納装置１０により配送物の一時預かりサービスを利用する居住者の情報等を管理する管理サーバ２０と、上記居住者により操作される情報処理装置であるユーザ端末３０とを有し、これらがネットワーク１００を介して接続されて構成され、図１１に示す本発明の第２の実施の形態における物品収納システムの構成と同様である。
収納装置１０は、配送物が入庫された場合、又は入庫を試みたが収納ボックスが空いていなくて入庫されかった場合、これらいずれかの通知をユーザ端末３０へ送信して入庫した旨又はしなかった旨を居住者に伝える。このとき、当該通知には、当該居住者宛の現在の配送物の合計入庫数についての情報も含まれており、これを知った居住者は、前もって、配送物運搬用のカートを用意しておく等、準備をすることが可能となる。
【０１３３】
（２）収納装置１０の構成
本発明の第５の実施の形態における収納装置１０は、図１２に示す本発明の第２の実施の形態における収納装置１０の構成と同様に、ＣＰＵ等から構成され収納装置１０全体を制御する制御部１１と、各種情報を格納する情報格納部１２と、居住者宛の配送物を収納する収納部１３と、各種情報を表示する表示部１４と、各種キーを備え情報入力が可能であるとともに、後述の居住者カード等に書き込まれた認証用の情報の読取り等をする操作部１５と、接続されるネットワーク１００を介して情報の送受信を行う通信部１６とを有して構成される。
【０１３４】
図２７は、本発明の第５の実施の形態における情報格納部１２が格納する各データベース１２１〜１２５を示す図である。
図に示すように、情報格納部１２は、居住者が収納部１２を解錠する際に必要なパスワード等の認証情報を管理する居住者ＤＢ１２１と、収納部１２を構成する複数の収納ボックスの位置及び使用状況を管理する収納ボックスＤＢ１２２と、各収納ボックスへの入庫履歴を管理する入庫履歴ＤＢ１２４とを格納する。
【０１３５】
図２８は、本発明の第５の実施の形態における入庫履歴ＤＢ１２４のデータ構成を示す図である。
図に示す例では、入庫履歴ＤＢ１２４は、配送物の入庫時期と、入庫された収納ボックスのボックス番号と、配送先の居住者ＩＤと、入庫順に付与される入庫履歴番号にそれぞれ対応付けて格納している。
【０１３６】
（３）管理サーバ２０の構成
管理サーバ２０は、ネットワーク１００を介して収納装置１０と接続される情報処理装置であって、収納装置１０と同様に、配送物の収納等に係る情報を管理する。
管理サーバ２０は、図１５に示す本発明の第２の実施の形態における管理サーバ２０の構成と同様に、ＣＰＵ等により構成され、管理サーバ２０全体を制御する制御部２１と、各種情報を格納する情報格納部２２と、接続されるネットワーク１００を介して情報の送受信を行う通信部２３とを有して構成される。
【０１３７】
情報格納部２２は、居住者ＤＢ２２１と、収納ボックスＤＢ２２２と、入庫履歴ＤＢ２２４とを格納する。
これら各データベース２２１〜２２４のデータ構成は、収納装置１０に格納されていた同名称の各データベース１２１〜１２４とそれぞれ同様である。
ただし、居住者ＤＢ２２１は、居住者ＤＢ１２１のデータ構成に加えて、居住者の個人情報（住所、電話番号等）を管理する。
管理サーバ２０の各データベース２２１〜２２４と、収納装置１０の各データベース１２１〜１２４との同期方法については第２の実施の形態と同様であるので、説明を省略する。
【０１３８】
（４）ユーザ端末３０の構成
ユーザ端末３０は、集合住宅の居住者等により操作される情報処理装置であって、例えば、スマートフォン、携帯電話機、ＰＨＳ（Ｐｅｒｓｏｎａｌ  Ｈａｎｄｙｐｈｏｎｅ  Ｓｙｓｔｅｍ）、またはＰＤＡ（Ｐｅｒｓｏｎａｌ  Ｄｉｇｉｔａｌ  Ａｓｓｉｓｔａｎｔ）等の携帯通信端末であってもよいし、タワー、デスクトップ、またはノートブックの各型のＰＣ（Ｐｅｒｓｏｎａｌ  Ｃｏｍｐｕｔｅｒ）であってもよい。
【０１３９】
ユーザ端末３０は、図１６に示す本発明の第２の実施の形態におけるユーザ端末３０の構成と同様に、ＣＰＵ等から構成されユーザ端末３０全体を制御する制御部３１と、各種情報を格納する情報格納部３２と、接続されるネットワーク１００を介して情報の送受信を行う通信部３３と、各種情報を表示する表示部３４と、各種キーを備え情報入力を行う操作部３５とを有して構成される。
【０１４０】
居住者は、ユーザ端末３０を用いて、収納装置１０にアクセスし、収納装置１０における各収納ボックスの収納状況（収納ボックスのボックス番号、配送物が収納されているか否か、配送物のサイズ、個数等）を確認することができる。
【０１４１】
（第５の実施の形態の動作）
（１）個人情報の設定動作
本実施の形態においても、居住者の個人情報等は居住者ＤＢ１２１において管理される。
居住者又は居住者の依頼を受けた者は、その個人情報について収納装置１０の操作部１５を直接操作して入力し、種類基準ＤＢ１２６に登録し又は変更することができる。
この個人情報の設定方法又は変更方法については、図９に示す重量基準値の設定方法と同様（第３の実施の形態と同様）であるので、その詳細な説明は省略する。
また、管理事業者の端末を介して、又はマイページにおいて、個人情報を設定又は変更することができる。これらも第２の実施の形態における重量基準値を個人情報に置き換えたものと同様であるので、その説明を省略する。
【０１４２】
（２）配送物の預入れ動作
図２９は、本発明の第５の実施の形態における物品収納システムによる動作の流れを示すシーケンスチャートである。
以下、本実施の形態において、配送業者が集合住宅の居住者宛の配送物を配送するときにおける物品収納システムによる動作について、本図に沿って説明を進める。
【０１４３】
まず、配送業者は、居住者宛の配送物を持って集合住宅を訪れ、共用部又は住戸の玄関のインターホン等で配送物があることを居住者に呼び掛け、居住者の在宅又は不在を確認する。
ここで、居住者からの応答がなく、不在である場合には、配送業者は、居住者宛の配送物を収納装置１０に一時預け入れるため、収納装置１０が設置されている集合住宅のエントランス等を訪れる。
そこで、配送業者は、収納装置１０の表示部１４に表示されている配送物の「預入れ」か「取出し」かの選択画面において、操作部１５を操作して、「預入れ」を選択する（ステップＳ７０１）。
【０１４４】
「預入れ」が選択されると、表示部１４は、「配送物の預入れ」に伴って行われるサービス内容又はそのサービスを行う事業者名の一覧を表示する。
この表示画面では、例えば、「宅配便」、「クリーニング」、「食品配送」といったサービス内容や、「○○宅配便」、「××配送サービス」といった事業者名が表示され、配送業者は、操作部１５を操作して、そのサービス内容及び事業者名から自身に該当するものを選択する（ステップＳ７０２）。
【０１４５】
サービス内容及び事業者名が選択されると、表示部１４は、配送宛の集合住宅の部屋番号の入力画面を表示する。
ここで、配送業者は、今回預け入れる配送物の伝票等を確認して、操作部１５を操作して、配送宛の住戸の部屋番号を入力する（ステップＳ７０３）。
【０１４６】
配送宛の部屋番号が入力されると、制御部１１は、収納ボックスＤＢ１２２を参照し、入庫可能な収納ボックスがあるか否かを判断する（ステップＳ７０４）。
【０１４７】
ここで、制御部１１は、入庫可能な収納ボックスがあると判断した場合（ステップＳ７０４／Ｙｅｓ）、入庫可能な収納ボックスを表示部１４に表示させ（ステップＳ７０５）、配送業者に対し、当該新たな配送物を収納ボックスへ入庫させるように促す。
【０１４８】
そして、配送業者は、表示部１４に表示された収納ボックスに新たに配送した配送物を入庫し、閉扉すると、制御部１１は、当該入庫した収納ボックスを施錠する（ステップＳ７０６）。
【０１４９】
次に、制御部１１は、居住者ＤＢ１２１を参照し、収納装置１０に現在入庫中の上記部屋番号の住戸宛の配送物の合計個数を「１」増加させ、更新する（ステップＳ７０７）。
【０１５０】
次に、制御部１１は、上記配送物の入庫について入庫履歴を生成し、入庫履歴ＤＢ１２４に記録する（ステップＳ７０８）。
ここで記録される入庫履歴とは、入庫時期、収納ボックスのボックス番号、配送先の住戸の部屋番号、当該配送先の入庫中の配送物の合計個数等が、履歴個々を特定する入庫履歴番号にそれぞれ対応付けられるものである。
【０１５１】
次に、収納装置１０の制御部１１は、配送物が入庫されたか否かを判断する（ステップＳ７０９）。
入庫されなかったと判断された場合には（ステップＳ７０９／Ｎｏ）、動作は終了する。
【０１５２】
一方、配送物が入庫されたと判断された場合には（ステップＳ７０９／Ｙｅｓ）、制御部１１は、上記記録した入庫履歴に基づいて、その配送物を入庫した旨の荷物情報を、該当する居住者のユーザ端末３０へ通知する（ステップＳ７１０）。
その通知内容としては、例えば、配送物が入庫したこと、当該居住者宛（住戸宛て）の配送物の収納装置１０に入庫中の現在の合計個数、及び入庫中の収納ボックス全てのボックス番号等である。
また、その通知方法としては、例えば電子メールである。
ユーザ端末３０は、上記通知を受信すると、当該通知の内容を表示部３４上に表示する。居住者は、その表示された内容を確認し、その後、収納装置１０へ自身の住戸宛の配送物を取りに行く。
以上で、動作を終了する。
【０１５３】
一方、制御部１１は、入庫可能な収納ボックスがないと判断した場合（ステップＳ７０４／Ｎｏ）、配送物の入庫が不可能である旨を表示部１４に表示させ（ステップＳ７１１）、配送業者に対し、当該配送物を再配送するように促す。
そして、制御部１１は、上記配送物が入庫されなかったことについて入庫履歴を生成し、入庫履歴ＤＢ１２４に記録する（ステップＳ７０８）。
ここで記録される入庫履歴とは、入庫を試みた時期、配送先の住戸の部屋番号、当該配送先の入庫中の配送物の合計個数等が、履歴個々を特定する入庫履歴番号にそれぞれ対応付けられるものである。
そして、制御部１１は、配送物が入庫されなかったと判断し（ステップＳ７０９／Ｎｏ）、動作を終了する。
【０１５４】
（第５の実施の形態のまとめ）
以上説明したように、本発明の第５の実施の形態によれば、配送業者が収納装置１０に配送物を入庫すると、収納装置１０は、その入庫した事実とともに、現在収納装置１０に入庫中の当該居住者宛の配送物の合計個数の情報が含まれる荷物情報をユーザ端末３０へ送信するので、居住者は、収納装置１０へ配送物を取りに行くとき、自分宛の配送物の個数を事前に知ることができ、その合計個数が多いときには前もって運搬用のカートを借りておく等の準備を行うことができる。
【０１５５】
なお、本実施の形態におけるユーザ端末３０への荷物情報の通知は、電子メール、マイページ、情報閲覧用アプリ又はＳＮＳアプリ等を用いたあらゆる方法により行われ、その方法は限定しないものとする。
その荷物情報の通知方法については第２の実施の形態と同様であるので、その説明は省略する。
【０１５６】
＜実施の形態のまとめ＞
以上説明したように、本発明の第１又は第２の実施の形態における物品収納システムによれば、所定重量以上の配送物について収納装置１０への入庫を禁止することにより、配送物を受け取る居住者にとって、配送物が重いために収納装置１０から自身の住戸までの運搬が困難である場合には、配送業者に対し、再配送をさせることができ、配送物をスムーズに受け取ることが可能となる。
【０１５７】
また、本発明の第１又は第２の実施の形態における物品収納システムによれば、所定重量以上の配送物について、低い位置の収納ボックスにのみ入庫を許可したりすることにより、配送物を受け取る居住者は、重い配送物であっても、収納ボックスから楽に取り出すことが可能となる。
【０１５８】
また、本発明の第３又は第４の実施の形態における物品収納システムによれば、所定の種類の配送物について収納装置１０への入庫を禁止することにより、配送物を受け取る居住者にとって、例えば要冷蔵等の直接住戸への配送を希望する種類の配送物を配送業者に自身の住戸まで直接再配送をさせることができ、配送物をスムーズに受け取ることが可能となる。
【０１５９】
また、本発明の第５の実施の形態における物品収納システムによれば、収納装置１０は現在入庫中の配送物の合計個数を配送宛ごとに管理し、ユーザ端末３０へ通知することにより、配送物を受け取る居住者は、事前に収納装置１０から住戸までの運搬用のカートを用意する等、準備しておくことができ、収納装置１０へ配送物を取りに行ったものの、個数が多過ぎて又は重過ぎて住戸まで運べないといったトラブルを防止することが可能となる。
【０１６０】
上記の収納装置１０、管理サーバ２０及びユーザ端末３０は、主にＣＰＵとメモリにロードされたプログラムによって実現される。ただし、それ以外の任意のハードウェアおよびソフトウェアの組合せによってこの装置またはサーバを構成することも可能であり、その設計自由度の高さは当業者には容易に理解されるところである。
また、上記の収納装置１０、管理サーバ２０又はユーザ端末３０をソフトウェアモジュール群として構成する場合、このプログラムは、光記録媒体、磁気記録媒体、光磁気記録媒体、または半導体等の記録媒体に記録され、上記の記録媒体からロードされるようにしてもよいし、所定のネットワークを介して接続されている外部機器からロードされるようにしてもよい。
【０１６１】
なお、上記の実施の形態は本発明の好適な実施の一例であり、本発明の実施の形態は、これに限定されるものではなく、本発明の要旨を逸脱しない範囲において種々変形して実施することが可能となる。
例えば、本発明の第１乃至第４の実施の形態においては、収納装置１０が、配送物の重量や内容に基づいて配送物の収納について判断する制御装置として機能するものであるが、収納装置１０とネットワークを介して接続される他の制御装置（例えば管理サーバ２０）が、当該配送物の収納の判断を行うよう構成してもよい。
【０１６２】
また、以上説明した本発明の第１乃至第５の実施の形態では、収納装置１０の各収納ボックスは、配送物が未入庫の空きの状態では施錠されておらず、配送物が入庫された時点で施錠されるものであるが、配送物の重量が重量基準値（入庫禁止）以上である場合、又はその配送物が入庫禁止の対象の種類である場合には、収納装置１０は、表示部１４において入庫禁止のメッセージを表示して、配送業者による配送物の入庫禁止を促すものであるが、そのメッセージの表示に代えて又は表示とともに、収納ボックスを施錠して、配送物を新たに入庫することを禁止するよう構成してもよい。
さらに、配送物の重量が重量基準値（入庫位置指定）以上である場合、重量基準ＤＢ１２６において入庫位置が指定されている収納ボックス以外の他の収納ボックスを施錠して、配送物の入庫を禁止するよう構成してもよい。
【０１６３】
上記重量基準ＤＢ１２３における各基準値は、各居住者が希望する配送物の配送方法に応じて任意に設定される。
例えば、居住者が高齢であって、重い配送物は収納装置１０へ預け入れず、住戸への直接配送を希望する場合には、各基準値を低めに設定して、住戸へ直接配送するようにするか、収納装置１０の低めの位置に収納させるように設定しておく。
一方、不在にすることが多く、収納装置１０への預入れを希望する居住者の場合は、基準値を高めに設定することで、たとえ低めの位置の収納ボックスが空いていない場合であっても、高めの位置の収納ボックスへの入庫を認めたりすることにより、居住者不在時における配送業者による配送物の持ち帰りを防ぐことができる。
【０１６４】
また、以上説明した第１又は第２の実施の形態においては、収納装置１０は、配送物個別の重量が重量基準値（入庫禁止）以上か否か判断するものであったが、複数の配送物全ての合計の重量が重量基準値（入庫禁止）以上か否かを判断し、重量基準値（入庫禁止）以上の場合には入庫を禁止するよう構成してもよい。
【０１６５】
また、以上説明した第２の実施の形態においては、配送物を取り出しやすい収納ボックスの位置として下段の収納ボックスを例示したが、他の位置の収納ボックスとしてもよい。
【０１６６】
また、第１乃至第５の実施の形態における物品収納システムの構成要素を組み合わせて新たな物品収納システムを構成することも可能である。
例えば、収納装置１０は、まず、新たに入庫する配送物個々の重量に基づいて、重量基準値（入庫禁止）以上の配送物の入庫を禁止するとともに、予め入庫禁止に設定されている種類の配送物の入庫も禁止するように構成してもよい。
【０１６７】
なお、収納装置１０又は管理サーバ２０が格納する各データベースにおいて管理される各データ（個人情報、基準値等）は、各居住者が、ユーザ端末３０等を用いて、その内容を示す情報を管理サーバ２０へ送信して直接登録を行うようにしてもよいし、ユーザ端末３０を用いて管理事業者の端末（図示せず）へ送信したり、電話又はＦＡＸ等により各データベースにおいて管理される各データの内容を管理事業者へ伝えたりして、管理事業者が各データを各データベースに登録するようにしてもよい。
【０１６８】
また、第１乃至第５の実施の形態によれば、一例として、収納装置１０に収納される物品は、配送業者により居住者宛に配送される配送物であったが、収納装置１０の設置場所や用途によって、配送物以外の他の物品でもよい。
例えば、物品収納システムは、集合住宅の居住者が、収納装置１０にクリーニング品を預け入れ、それを業者が取り出し、クリーニングしてから収納装置１０に預け入れるといったクリーニングサービスに利用することもできる。
また、集合住宅の居住者が、同じ集合住宅の他の居住者宛に収納装置１０に物品を預け入れてもよい。その後、受取側の他の居住者は、その預け入れられた自分宛の物品を取り出す。この場合、物品は配送されない。
また、上述のとおり、収納装置１０は集合住宅の他、商業施設又は公共施設・機関等に設置されてもよく、この場合、利用者は集合住宅の居住者に限定されない。
【符号の説明】
【０１６９】
１０    収納装置
１１，２１，３１    制御部
１２，２２，３２    情報格納部
１３，２３，３３    通信部
１４，３４    表示部
１５，３５    操作部
１６    収納部
２０    管理サーバ
３０    ユーザ端末
１２１，２２１    居住者ＤＢ
１２２，２２２    収納ボックスＤＢ
１２３，２２３    重量基準ＤＢ
１２４，２２４    入庫履歴ＤＢ
１２５，２２５    通知ＤＢ
１２６，２２６    種類基準ＤＢ
【図１】
0006650707.tif 000002
【図２】
0006650707.tif 000003
【図３】
0006650707.tif 000004
【図４】
0006650707.tif 000005
【図５】
0006650707.tif 000006
【図６】
0006650707.tif 000007
【図７】
0006650707.tif 000008
【図８】
0006650707.tif 000009
【図９】
0006650707.tif 000010
【図１０】
0006650707.tif 000011
【図１１】
0006650707.tif 000012
【図１２】
0006650707.tif 000013
【図１３】
0006650707.tif 000014
【図１４】
0006650707.tif 000015
【図１５】
0006650707.tif 000016
【図１６】
0006650707.tif 000017
【図１７】
0006650707.tif 000018
【図１８】
0006650707.tif 000019
【図１９】
0006650707.tif 000020
【図２０】
0006650707.tif 000021
【図２１】
0006650707.tif 000022
【図２２】
0006650707.tif 000023
【図２３】
0006650707.tif 000024
【図２４】
0006650707.tif 000025
【図２５】
0006650707.tif 000026
【図２６】
0006650707.tif 000027
【図２７】
0006650707.tif 000028
【図２８】
0006650707.tif 000029
【図２９】
0006650707.tif 000030